(57)【要約】  カルボキシメチル基含有修飾ヒアルロン酸および／またはその塩の架橋物の製造方法は、カルボキシメチル基含有修飾ヒアルロン酸および／またはその塩の溶液に電子線を照射し、架橋物を得る工程を含む。【特許請求の範囲】
【請求項１】
カルボキシメチル基含有修飾ヒアルロン酸および／またはその塩の溶液に電子線を照射し、架橋物を得る工程を含む、カルボキシメチル基含有修飾ヒアルロン酸および／またはその塩の架橋物の製造方法。
【請求項２】
請求項１において、
前記電子線の照射強度が５ｋＧｙ以上８００ｋＧｙ以下である、カルボキシメチル基含有修飾ヒアルロン酸および／またはその塩の架橋物の製造方法。
【請求項３】
請求項１または２において、
前記カルボキシメチル基含有修飾ヒアルロン酸および／またはその塩の濃度が５質量％以上６０質量％以下の溶液に前記電子線を照射する、カルボキシメチル基含有修飾ヒアルロン酸および／またはその塩の架橋物の製造方法。
【請求項４】
請求項３において、
前記溶液のｐＨが８以下である、カルボキシメチル基含有修飾ヒアルロン酸および／またはその塩の架橋物の製造方法。
【請求項５】
請求項１ないし４のいずれか１項において、
前記電子線を照射する前の前記修飾ヒアルロン酸および／またはその塩の平均分子量が１０万以上であり、かつ、ヒアルロン酸を構成する２糖単位に対するカルボキシメチル化率が５０％以上である、カルボキシメチル基含有修飾ヒアルロン酸および／またはその塩の架橋物の製造方法。
【請求項６】
請求項１ないし５のいずれか１項において、
前記電子線を照射する前の前記修飾ヒアルロン酸および／またはその塩に対する前記架橋物の収率が３０質量％以上である、カルボキシメチル基含有修飾ヒアルロン酸および／またはその塩の架橋物の製造方法。
【請求項７】
請求項１ないし６のいずれか１項において、
前記架橋物は、水膨潤性を有する、カルボキシメチル基含有修飾ヒアルロン酸および／またはその塩の架橋物の製造方法。
【請求項８】
請求項１ないし７のいずれかにおいて、
前記電子線を照射する工程で得られる架橋物を含む組成物を水で洗浄して、架橋物以外の不純物を除去する工程をさらに含む、カルボキシメチル基含有修飾ヒアルロン酸および／またはその塩の架橋物の製造方法。
【請求項９】
請求項１ないし８のいずれか１項に記載の製造方法によって得られる、カルボキシメチル基含有修飾ヒアルロン酸および／またはその塩の架橋物。
【請求項１０】
水に対する膨潤度が１０倍以上１，０００倍以下（質量比）である、水膨潤性を有する、カルボキシメチル基含有修飾ヒアルロン酸および／またはその塩の架橋物。
【請求項１１】
請求項１０において、
可逆的な水膨潤性を有する、カルボキシメチル基含有修飾ヒアルロン酸および／またはその塩の架橋物。
【請求項１２】
請求項９ないし１１のいずれか１項に記載のカルボキシメチル基含有修飾ヒアルロン酸および／またはその塩の架橋物の濃度が１質量％（固形分）になるように生理食塩水中に分散させて調製された混合物を、５０℃にて２４時間保存した後の残存率が１％以上である、請求項９ないし１１のいずれか１項に記載のカルボキシメチル基含有修飾ヒアルロン酸および／またはその塩の架橋物。
【請求項１３】
請求項９ないし１２のいずれか１項に記載のカルボキシメチル基含有修飾ヒアルロン酸および／またはその塩の架橋物の濃度が０．１質量％（固形分）になるように５０ｍＭリン酸緩衝液中に分散させて調製された混合物を、ヒアルロニダーゼ（５単位／架橋物１ｍｇあたり）存在下で４０℃にて２４時間保存した後の残存率が１％以上である、請求項９ないし１２のいずれか１項に記載のカルボキシメチル基含有修飾ヒアルロン酸および／またはその塩の架橋物。
【請求項１４】
請求項１ないし７のいずれか１項において、
前記電子線を照射する工程で得られる第１架橋物を含む第１組成物に、さらに別の架橋処理工程を施すことにより得られる第２架橋物を含む第２組成物を得る、カルボキシメチル基含有修飾ヒアルロン酸および／またはその塩の架橋物の製造方法。
【請求項１５】
請求項１４において、
前記第１組成物の溶液を、−２００℃以上１０℃以下に保持する工程を含む、カルボキシメチル基含有修飾ヒアルロン酸および／またはその塩の架橋物の製造方法。
【請求項１６】
請求項１５において、
前記溶液における前記第１組成物の濃度が１質量％以上３０質量％以下である、カルボキシメチル基含有修飾ヒアルロン酸および／またはその塩の架橋物の製造方法。
【請求項１７】
請求項１６において、
前記溶液のｐＨが３以下である、カルボキシメチル基含有修飾ヒアルロン酸および／またはその塩の架橋物の製造方法。
【請求項１８】
請求項１５ないし１７のいずれか１項において、
前記保持する工程により得られる第２架橋物を含む第２組成物を水で洗浄し、該架橋物以外の不純物を除去する工程をさらに含む、カルボキシメチル基含有修飾ヒアルロン酸および／またはその塩の架橋物の製造方法。
【請求項１９】
請求項１ないし７のいずれか１項において、
前記電子線を照射する工程で得られる架橋物を含む第１組成物とカルボキシメチル基含有修飾ヒアルロン酸および／またはその塩との混合物を含む溶液を−２００℃以上１０℃以下に保持することにより、第３の架橋物を含む第３組成物を得る、カルボキシメチル基含有修飾ヒアルロン酸および／またはその塩の架橋物の製造方法。
【請求項２０】
請求項１９において、
前記第３組成物を得る工程において、前記溶液中の前記第１組成物／前記カルボキシメチル基含有修飾ヒアルロン酸（質量比）が、１／１０以上１０／１以下である、カルボキシメチル基含有修飾ヒアルロン酸および／またはその塩の架橋物の製造方法。
【請求項２１】
請求項１９または２０において、
前記溶液中の前記第１組成物の濃度が１質量％以上３０質量％以下である、カルボキシメチル基含有修飾ヒアルロン酸および／またはその塩の架橋物の製造方法。
【請求項２２】
請求項１９ないし２１のいずれか１項において、
前記溶液中のカルボキシメチル基含有修飾ヒアルロン酸および／またはその塩の濃度が１質量％以上３０質量％以下である、カルボキシメチル基含有修飾ヒアルロン酸および／またはその塩の架橋物の製造方法。
【請求項２３】
請求項１９ないし２２のいずれか１項において、
前記溶液のｐＨが３以下である、カルボキシメチル基含有修飾ヒアルロン酸および／またはその塩の架橋物の製造方法。
【請求項２４】
請求項１９ないし２３のいずれか１項において、
前記保持する工程により得られる第３架橋物を含む第３組成物を水で洗浄し、該第３架橋物以外の不純物を除去する工程をさらに含む、カルボキシメチル基含有修飾ヒアルロン酸および／またはその塩の架橋物の製造方法。
【請求項２５】
請求項１４ないし１８、１９ないし２４のいずれか１項に記載の製造方法によって得られる、カルボキシメチル基含有修飾ヒアルロン酸および／またはその塩の架橋物。
【請求項２６】
請求項９ないし１３、および２５のいずれか１項に記載のカルボキシメチル基含有修飾ヒアルロン酸および／またはその塩の架橋物と、水と、を含み、
前記架橋物の含有量が固形分換算で０．１質量％以上１０質量％以下である、水膨潤性ゲル。
【請求項２７】
請求項２６において、
５０℃にて２４時間保存した後の残存率が１％以上である、水膨潤性ゲル。
【請求項２８】
請求項２６または２７において、
ヒアルロニダーゼ（５単位／ゲル１ｍＬあたり）存在下で４０℃にて２４時間保存した後の残存率が１％以上である、水膨潤性ゲル。
【請求項２９】
請求項９ないし１３、および２５のいずれか１項に記載のカルボキシメチル基含有修飾ヒアルロン酸および／またはその塩の架橋物を含む、医療材料。
【請求項３０】
請求項２９において、
癒着防止剤、皮下注射剤、膝関節注射剤、および薬物徐放剤から選ばれる少なくとも１つとして使用される、医療材料。
【請求項３１】
請求項９ないし１３、および２５のいずれか１項に記載のカルボキシメチル基含有修飾ヒアルロン酸および／またはその塩の架橋物を含む、化粧料。
【請求項３２】
請求項９ないし１３、および２５のいずれか１項に記載のカルボキシメチル基含有修飾ヒアルロン酸および／またはその塩の架橋物を含む、美容用材料。
【発明の詳細な説明】
【技術分野】
【０００１】
本発明は、カルボキシメチル基含有修飾ヒアルロン酸および／またはその塩の架橋物およびその製造方法、水膨潤性ゲルおよびその製造方法、ならびに、該架橋物を含む医療材料、化粧料、および美容用材料に関する。
【背景技術】
【０００２】
ヒアルロン酸は、鶏冠、さい帯、皮膚、軟骨、硝子体、関節液などの生体組織中に広く分布しており、例えば、化粧料、医薬品、食品の成分として広く利用されている。【０００３】
特許文献１（特開平５−５８８８１号公報）には、ヒアルロン酸ゲルおよびその製造方法が記載されている。しかしながら、ヒアルロン酸は生体内でヒアルロニダーゼにより分解されるため、生体内で分解されやすい。
【先行技術文献】
【特許文献】
【０００４】
【特許文献１】特開平５−５８８８１号公報
【発明の概要】
【発明が解決しようとする課題】
【０００５】
本発明は、耐酵素分解性に優れたカルボキシメチル基含有修飾ヒアルロン酸および／またはその塩の架橋物およびその製造方法、水膨潤性ゲルおよびその製造方法、ならびに、該架橋物を含む医療材料、化粧料、および美容用材料を提供する。
【課題を解決するための手段】
【０００６】
本願発明者は、カルボキシメチル基含有修飾ヒアルロン酸および／またはその塩の溶液に電子線を照射して得られる、該修飾ヒアルロン酸および／またはその塩の架橋物が、優れた耐酵素分解性を有することを見出した。【０００７】
また、本願発明者は、前記架橋物を所定の温度で処理することにより、熱安定性および耐酵素分解性を高めることができることを見出した。【０００８】
１．本発明の一態様に係るカルボキシメチル基含有修飾ヒアルロン酸および／またはその塩の架橋物の製造方法は、カルボキシメチル基含有修飾ヒアルロン酸および／またはその塩の溶液に電子線を照射し、架橋物を得る工程を含む。【０００９】
２．上記１に記載のカルボキシメチル基含有修飾ヒアルロン酸および／またはその塩の架橋物の製造方法において、前記電子線の照射強度が５ｋＧｙ以上８００ｋＧｙ以下であることができる。【００１０】
３．上記１または２に記載のカルボキシメチル基含有修飾ヒアルロン酸および／またはその塩の架橋物の製造方法において、前記カルボキシメチル基含有修飾ヒアルロン酸および／またはその塩の濃度が５質量％以上６０質量％以下の溶液に前記電子線を照射することができる。【００１１】
４．上記３に記載のカルボキシメチル基含有修飾ヒアルロン酸および／またはその塩の架橋物の製造方法において、前記溶液のｐＨが８以下であることができる。【００１２】
５．上記１ないし４のいずれかに記載のカルボキシメチル基含有修飾ヒアルロン酸および／またはその塩の架橋物の製造方法において、前記電子線を照射する前の前記修飾ヒアルロン酸および／またはその塩の平均分子量が１０万以上であり、かつ、ヒアルロン酸を構成する２糖単位に対するカルボキシメチル化率が５０％以上であることができる。【００１３】
６．上記１ないし５のいずれかに記載のカルボキシメチル基含有修飾ヒアルロン酸および／またはその塩の架橋物の製造方法において、前記電子線を照射する前の前記修飾ヒアルロン酸および／またはその塩に対する前記架橋物の収率が３０質量％以上であることができる。【００１４】
７．上記１ないし６のいずれかに記載のカルボキシメチル基含有修飾ヒアルロン酸および／またはその塩の架橋物の製造方法において、前記架橋物は、水膨潤性を有することができる。【００１５】
８．上記１ないし７のいずれかに記載のカルボキシメチル基含有修飾ヒアルロン酸および／またはその塩の架橋物の製造方法において、前記電子線を照射する工程で得られる架橋物を含む組成物を水で洗浄して、架橋物以外の不純物を除去する工程をさらに含むことができる。【００１６】
９．本発明の一態様に係るカルボキシメチル基含有修飾ヒアルロン酸および／またはその塩の架橋物は、上記１ないし８に記載のカルボキシメチル基含有修飾ヒアルロン酸および／またはその塩の架橋物の製造方法によって得られることができる。【００１７】
１０．本発明の一態様に係る、水膨潤性を有する、カルボキシメチル基含有修飾ヒアルロン酸および／またはその塩の架橋物は、水に対する膨潤度が１０倍以上１，０００倍以下（質量比）である。【００１８】
１１．上記１０に記載のカルボキシメチル基含有修飾ヒアルロン酸および／またはその塩の架橋物は、可逆的な水膨潤性を有する。【００１９】
１２．上記９ないし１１のいずれかに記載のカルボキシメチル基含有修飾ヒアルロン酸および／またはその塩の架橋物において、上記９ないし１１のいずれかに記載のカルボキシメチル基含有修飾ヒアルロン酸および／またはその塩の架橋物の濃度が１質量％（固形分）になるように生理食塩水中に分散させて調製された混合物を、５０℃にて２４時間保存した後の残存率が１％以上であることができる。【００２０】
１３．上記９ないし１２のいずれかに記載のカルボキシメチル基含有修飾ヒアルロン酸および／またはその塩の架橋物において、上記９ないし１２のいずれかに記載のカルボキシメチル基含有修飾ヒアルロン酸および／またはその塩の架橋物の濃度が０．１質量％（固形分）になるように５０ｍＭリン酸緩衝液中に分散させて調製された混合物を、ヒアルロニダーゼ（５単位／架橋物１ｍｇあたり）存在下で４０℃にて２４時間保存した後の残存率が１％以上であることができる。【００２１】
１４．上記１ないし７のいずれかに記載のカルボキシメチル基含有修飾ヒアルロン酸および／またはその塩の架橋物の製造方法において、前記電子線を照射する工程で得られる架橋物を含む第１組成物に、さらに別の架橋処理工程を施すことにより得られる架橋物を含む第２組成物を得ることができる。【００２２】
１５．上記１４に記載のカルボキシメチル基含有修飾ヒアルロン酸および／またはその塩の架橋物の製造方法において、前記第１組成物を含む溶液を、−２００℃以上１０℃以下に保持する工程を含むことができる。【００２３】
１６．上記１５に記載のカルボキシメチル基含有修飾ヒアルロン酸および／またはその塩の架橋物の製造方法において、前記溶液における前記第１組成物の濃度が１質量％以上３０質量％以下であることができる。【００２４】
１７．上記１６に記載のカルボキシメチル基含有修飾ヒアルロン酸および／またはその塩の架橋物の製造方法において、前記溶液のｐＨが３以下であることができる。【００２５】
１８．上記１５ないし１７のいずれかに記載のカルボキシメチル基含有修飾ヒアルロン酸および／またはその塩の架橋物の製造方法において、前記保持する工程により得られる架橋物を含む第２組成物を水で洗浄し、該架橋物以外の不純物を除去する工程をさらに含むことができる。【００２６】
１９．上記１ないし７のいずれかに記載のカルボキシメチル基含有修飾ヒアルロン酸および／またはその塩の架橋物の製造方法において、前記電子線を照射する工程で得られる架橋物を含む第１組成物とカルボキシメチル基含有修飾ヒアルロン酸および／またはその塩との混合物を含む溶液を−２００℃以上１０℃以下に保持することにより、第３の架橋物を含む第３組成物を得ることができる。【００２７】
２０．上記１９に記載のカルボキシメチル基含有修飾ヒアルロン酸および／またはその塩の架橋物の製造方法において、前記第３組成物を得る工程において、前記溶液中の前記第１組成物／前記カルボキシメチル基含有修飾ヒアルロン酸（質量比）が、１／１０以上１０／１以下であることができる。【００２８】
２１．上記１９または２０に記載のカルボキシメチル基含有修飾ヒアルロン酸および／またはその塩の架橋物の製造方法において、前記溶液中の前記第１組成物の濃度が１質量％以上３０質量％以下であることができる。【００２９】
２２．上記１９ないし２１のいずれかに記載のカルボキシメチル基含有修飾ヒアルロン酸および／またはその塩の架橋物の製造方法において、前記溶液中のカルボキシメチル基含有修飾ヒアルロン酸および／またはその塩の濃度が１質量％以上３０質量％以下であることができる。【００３０】
２３．上記１９ないし２２のいずれかに記載のカルボキシメチル基含有修飾ヒアルロン酸および／またはその塩の架橋物の製造方法において、前記溶液のｐＨが３以下であることができる。【００３１】
２４．上記１９ないし２３のいずれかに記載のカルボキシメチル基含有修飾ヒアルロン酸および／またはその塩の架橋物の製造方法において、前記保持する工程により得られる第３架橋物を含む第３組成物を水で洗浄し、該第３架橋物以外の不純物を除去する工程をさらに含むことができる。【００３２】
２５．本発明の一態様に係るカルボキシメチル基含有修飾ヒアルロン酸および／またはその塩の架橋物は、上記１４ないし１８、１９ないし２４のいずれかに記載のカルボキシメチル基含有修飾ヒアルロン酸および／またはその塩の架橋物の製造方法によって得られる。【００３３】
２６．本発明の一態様に係る水膨潤性ゲルは、上記請求項９ないし１３、および２５のいずれかに記載のカルボキシメチル基含有修飾ヒアルロン酸および／またはその塩の架橋物と、水と、を含み、前記架橋物の含有量が固形分換算で０．１質量％以上１０質量％以下である。【００３４】
２７．上記２６に記載の水膨潤性ゲルは、５０℃にて２４時間保存した後の残存率が１％以上であることができる。【００３５】
２８．上記２６または２７に記載の水膨潤性ゲルは、ヒアルロニダーゼ（５単位／ゲル１ｍＬあたり）存在下で４０℃にて２４時間保存した後の残存率が１％以上であることができる。【００３６】
２９．本発明の一態様に係る医療材料は、上記９ないし１３、および２５のいずれかに記載のカルボキシメチル基含有修飾ヒアルロン酸および／またはその塩の架橋物を含む。【００３７】
３０．上記２９に記載の医療材料は、癒着防止剤、皮下注射剤、膝関節注射剤、および薬物徐放剤から選ばれる少なくとも１つとして使用されることができる。【００３８】
３１．本発明の一態様に係る化粧料は、上記９ないし１３、および２５のいずれかに記載のカルボキシメチル基含有修飾ヒアルロン酸および／またはその塩の架橋物を含む。【００３９】
３２．本発明の一態様に係る美容用材料は、上記９ないし１３、および２５のいずれかに記載のカルボキシメチル基含有修飾ヒアルロン酸および／またはその塩の架橋物を含む。
【発明の効果】
【００４０】
上記１ないし８のいずれかに記載のカルボキシメチル基含有修飾ヒアルロン酸および／またはその塩の架橋物の製造方法は、カルボキシメチル基含有修飾ヒアルロン酸および／またはその塩の溶液に電子線を照射し、架橋物を得る工程を含むことにより、水膨潤性および耐酵素分解性を有する架橋物を得ることができる。該架橋物は、例えば、医療材料、美容用材料および化粧料の成分として使用することができる。【００４１】
また、上記１０ないし１３のいずれかに記載のカルボキシメチル基含有修飾ヒアルロン酸および／またはその塩の架橋物は、水膨潤性を有し、水に対する膨潤度が１０倍以上１，０００倍以下（質量比）であることにより、安定した水膨潤性ゲルを形成することができる。【００４２】
さらに、上記２６ないし２８のいずれかに記載の水膨潤性ゲルは、上記９ないし１３、および２５のいずれかに記載のカルボキシメチル基含有修飾ヒアルロン酸および／またはその塩の架橋物と、水と、を含み、前記架橋物の含有量が固形分換算で０．１質量％以上１０質量％以下であることにより、耐酵素分解性を有する。【００４３】
上記１４ないし１８のいずれかに記載のカルボキシメチル基含有修飾ヒアルロン酸および／またはその塩の架橋物の製造方法は、上記１ないし７のいずれかにに記載の製造方法により得られた前記第１組成物を含む溶液を−２００℃以上１０℃以下に保持する工程を含むことにより、水膨潤性および耐酵素分解性を有し、かつ、熱安定性に優れた第２架橋物を得ることができる。該第２架橋物は、例えば、医療材料、美容用材料および化粧料の成分として使用することができる。【００４４】
上記１９ないし２４のいずれかに記載のカルボキシメチル基含有修飾ヒアルロン酸および／またはその塩の架橋物の製造方法は、上記１ないし７のいずれかに記載のカルボキシメチル基含有修飾ヒアルロン酸および／またはその塩の架橋物の製造方法における前記電子線を照射する工程で得られる架橋物を含む第１組成物とカルボキシメチル基含有修飾ヒアルロン酸および／またはその塩との混合物を含む溶液を−２００℃以上１０℃以下に保持することにより、第３の架橋物を含む第３組成物を得ることができる。該第３架橋物は、例えば、医療材料、美容用材料および化粧料の成分として使用することができる。
【発明を実施するための形態】
【００４５】
以下、図面を参照しつつ、本発明を詳細に説明する。なお、本発明において、格別に断らない限り、「部」は「質量部」を意味し、「％」は「質量％」を意味する。
【００４６】
［第１架橋物の製造方法］
本発明の一実施形態に係るカルボキシメチル基含有修飾ヒアルロン酸および／またはその塩の架橋物（以下、単に「架橋物」または「第１架橋物」ともいう。）の製造方法は、カルボキシメチル基含有修飾ヒアルロン酸および／またはその塩（以下、「原料修飾ヒアルロン酸および／またはその塩」または、単に「修飾ヒアルロン酸および／またはその塩」ともいう。）の溶液に電子線を照射し、架橋物（第１架橋物）を得る工程を含む。前記架橋物を得る工程により、該架橋物を含む第１組成物を得ることができる。
【００４７】
本発明において、「カルボキシメチル基」とは、「−ＣＨ２−ＣＯ２Ｈ」または「−ＣＨ２−ＣＯ２−」で表される基のことをいう。また、第１架橋物の製造方法で使用する原料修飾ヒアルロン酸および／またはその塩は、後述する方法にて製造されたものであることができる。
【００４８】
＜電子線の照射による架橋のメカニズム＞
第１架橋物の製造方法では、電子線照射によって、修飾ヒアルロン酸および／またはその塩の構造内に架橋が生じる。第１架橋物の製造方法において、電子線照射による架橋のメカニズムは明らかではないが、原料修飾ヒアルロン酸および／またはその塩に含まれるカルボキシメチル基が架橋に関与していると推測される。
【００４９】
例えば、原料修飾ヒアルロン酸および／またはその塩に含まれるカルボキシメチル基同士の炭素原子の間で架橋が生じ、その結果、３次元網目構造が構築されると推測される。第１架橋物では、この３次元網目構造の中に水を取り込むことにより、後述する水膨張性ゲルを形成することができる。
【００５０】
＜電子線の照射強度＞
第１架橋物の製造方法では、第１架橋物をより確実に得ることができる点で、電子線の照射強度は５ｋＧｙ以上８００ｋＧｙ以下であることが好ましく、１０ｋＧｙ以上であることがより好ましく、５ｋＧｙ以上であることがより好ましく、一方、５００ｋＧｙ以下であることがより好ましく、４００ｋＧｙ以下であることがより好ましく、１００ｋＧｙ以下であることがさらに好ましい。
【００５１】
＜溶液中の原料修飾ヒアルロン酸および／またはその塩の濃度＞
第１架橋物の製造方法では、第１架橋物をより確実に得ることができる点で、原料修飾ヒアルロン酸および／またはその塩の濃度が５質量％以上６０質量％以下の溶液に前記電子線を照射することが好ましく、該濃度は１０質量％以上であることがより好ましく、１５質量％以上であることがさらに好ましく、一方、該濃度は５０質量％以下であることがより好ましく、４０質量％以下であることがさらに好ましい。
【００５２】
＜溶液のｐＨ＞
第１架橋物の製造方法では、架橋をより促進させることができる点で、電子線を照射する原料修飾ヒアルロン酸および／またはその塩の溶液のｐＨが８以下であることが好ましく、一方、該ｐＨは３以下であることがより好ましく、２以下であることがさらに好ましい。
【００５３】
なお、前記溶液のｐＨを酸性（ｐＨ７未満）に調整するために使用する酸は、該溶液のｐＨを酸性に調整できる酸であれば、いずれの酸を使用することができる。酸の使用量を低減できる観点から、該酸は例えば、塩酸、硫酸、硝酸、リン酸等の無機酸、酢酸、クエン酸等の有機酸を使用することができる。
【００５４】
＜溶媒＞
第１架橋物の製造方法では、原料修飾ヒアルロン酸および／またはその塩を溶解させる溶媒は、水、および水と混和する水溶性有機溶媒との混和物であることができる。
【００５５】
水溶性有機溶媒としては、例えば、メタノール、エタノール、１−プロパノール、２−プロパノールなどのアルコール系溶媒、アセトン、メチルエチルケトンなどのケトン系溶媒、テトラヒドロフラン、アセトニトリル等を挙げることができ、これらを単独でまたは組み合わせて使用することができる。
【００５６】
＜膨潤溶解＞
原料修飾ヒアルロン酸および／またはその塩の溶液の分子量の低下を抑え、かつ、原料修飾ヒアルロン酸および／またはその塩を衛生的に保つために、原料修飾ヒアルロン酸および／またはその塩を溶媒に溶解させて溶液を調製する際、例えば０℃以上２０℃以下の温度にて５時間以上４８時間以下保持することにより、該原料修飾ヒアルロン酸および／またはその塩を膨潤させて溶解させることが好ましい。
【００５７】
＜電子線照射時の温度＞
第１架橋物の製造方法では、電子線照射時において、架橋を円滑に進行できる点から、電子線照射に供する溶液の温度は通常−２０℃以上３０℃以下であることが好ましい。
【００５８】
＜洗浄工程＞
第１架橋物の製造方法では、電子線照射により生じた副生成物や、電子線照射の際に酸を使用する場合は該酸を除去することができる点で、電子線照射により得られる架橋物（第１架橋物）を含む組成物（第１組成物）を水で洗浄して、架橋物以外の不純物を除去する工程をさらに含むことができる。この洗浄工程により、第１架橋物を単離することができる。
【００５９】
［原料修飾ヒアルロン酸および／またはその塩］
＜原料修飾ヒアルロン酸および／またはその塩の分子量＞
本実施形態に係る原料修飾ヒアルロン酸および／またはその塩は、分子量が通常４，０００以上４００万以下である。本発明において、原料修飾ヒアルロン酸および／またはその塩の分子量は、以下の方法にて測定することができる。
【００６０】
ゲル濾過カラムを用いて、分子量が既知である複数の(精製)ヒアルロン酸（基準物質）を液体クロマトグラフィー分析することで、それらの保持時間より検量線を作成する。同様に、測定対象である原料修飾ヒアルロン酸を液体クロマトグラフィー分析し、前記検量線を用いて分子量を求めることで、原料修飾ヒアルロン酸の分子量を求めることができる。
【００６１】
前記液体クロマトグラフィー分析に使用することができる液体クロマトグラフィー分析装置としては、例えば、Ｗａｔｅｒｓ  Ａｌｌｉａｎｃｅ  ２６９０  ＨＰＬＣ  Ｓｅｐａｒａｔｉｏｎｓ  Ｍｏｄｕｌｅ（Ｗａｔｅｒｓ社製）、Ｗａｔｅｒｓ  Ａｌｌｉａｎｃｅ  ２６９５  ＨＰＬＣ  Ｓｅｐａｒａｔｉｏｎｓ  Ｍｏｄｕｌｅ（Ｗａｔｅｒｓ社製）、１２００  Ｓｅｒｉｅｓ（Ａｇｉｌｅｎｔ社製）が挙げられる。また、液体クロマトグラフィー分析に使用することができるカラムとしては、例えば、ｓｈｏｄｅｘ社製  配位子交換クロマトグラフィー用カラム（配位子交換モード＋サイズ排除モード)、型名「ＳＵＧＡＲ  ＫＳ−８０１」、「ＳＵＧＡＲ  ＫＳ−８０２」、「ＳＵＧＡＲ  ＫＳ−８０３」、「ＳＵＧＡＲ  ＫＳ−８０４」、「ＳＵＧＡＲ  ＫＳ−８０５」、「ＳＵＧＡＲ  ＫＳ−８０６」、「ＳＵＧＡＲ  ＫＳ−８０７」や、ＴＯＳＯＨ製  サイズ排除クロマトグラフィーカラム、型名「ＴＳＫｇｅｌ  ＧＭＰＷ」が挙げられる。
【００６２】
第１架橋物の製造方法では、第１架橋物を確実に得ることができる点で、前記電子線を照射する前の前記原料修飾ヒアルロン酸および／またはその塩の平均分子量が１０万以上であることが好ましく、３０万以上であることがより好ましく、７０万以上であることがさらに好ましい（通常３００万以下、２００万以下であることができる）。
【００６３】
本発明において、カルボキシル基を有する修飾ヒアルロン酸および／またはその塩のヒアルロン酸を構成する２糖単位に対するカルボキシメチル化率（以下、単に「カルボキシメチル化率」ともいう。）は、１Ｈ−ＮＭＲスペクトルにおいて、ヒアルロン酸骨格中のＣ−２位に結合するＮ−アセチル基のメチル基（−ＣＨ３）のプロトンを示すピーク（２ｐｐｍ付近に発現）の積算値に対する、カルボキシメチル基（−ＣＨ２−ＣＯ２Ｈまたは−ＣＨ２−ＣＯ２−）のメチレン基（−ＣＨ２−）のプロトンを示すピーク（３．８ｐｐｍ以上４．２ｐｐｍ以下の範囲に発現）の積算値の割合（％）で表される。
【００６４】
本発明において、「ヒアルロン酸を構成する２糖単位」とは、ヒアルロン酸を構成する、隣り合って結合する２糖（グルクロン酸およびＮ−アセチルグルコサミン）で構成される１単位をいい、「ヒアルロン酸を構成する２糖単位に対するカルボキシメチル化率」とは、該１単位に対する、該１単位に含まれるカルボキシメチル基の数であり、より具体的には、該１単位を１００％とした場合、該１単位に対する、該１単位に含まれるカルボキシメチル基の数の割合（％）をいう。
【００６５】
＜原料修飾ヒアルロン酸および／またはその塩のカルボキシメチル化率＞
第１架橋物の製造方法では、架橋をより促進できる点で、前記電子線を照射する前の前記原料修飾ヒアルロン酸および／またはその塩のカルボキシメチル化率が５０％以上であることが好ましく、７０％以上であることがより好ましく、８０％以上であることがさらに好ましく、一方、通常４００％以下であり、２００％以下であることができる。
【００６６】
＜第１架橋物の収率＞
第１架橋物の製造方法では、架橋をより促進できる点で、前記電子線を照射する前の前記修飾ヒアルロン酸および／またはその塩に対する前記第１架橋物の収率が３０質量％以上であることが好ましく、４０質量％以上であることがより好ましく、５０質量％以上であることがさらに好ましく、７０質量％以上であることが特に好ましい（通常１００質量％以下）。なお、前記収率は、本願実施例に示される方法により算出することができる。
【００６７】
［原料修飾ヒアルロン酸および／またはその塩の製造方法］
第１架橋物の製造方法において使用する、原料である修飾ヒアルロン酸および／またはその塩（以下、「原料修飾ヒアルロン酸および／またはその塩」ともいう。）は、例えば、温度が３０℃以下の含水溶媒中で、原料ヒアルロン酸および／またはその塩をハロ酢酸および／またはその塩と反応させる工程によって得ることができる。
【００６８】
上記反応させる工程において、反応液（含水溶媒）中に原料ヒアルロン酸および／またはその塩の少なくとも一部（好ましくは、ヒアルロン酸および／またはその塩の全部または大部分）とハロ酢酸および／またはその塩とが溶解した状態で該ヒアルロン酸および／またはその塩と該ハロ酢酸および／またはその塩とを反応させることができる。この場合、ヒアルロン酸および／またはその塩とハロ酢酸および／またはその塩とが溶解している点で、前記反応液は目視にて透明であってもよい。
【００６９】
＜原料ヒアルロン酸および／またはその塩＞
本発明において、「ヒアルロン酸」とは、グルクロン酸とＮ−アセチルグルコサミンとの二糖からなる繰り返し構成単位を１以上有する多糖類をいう。また、「ヒアルロン酸の塩」としては、特に限定されないが、食品または薬学上許容しうる塩であることが好ましく、例えば、ナトリウム塩、カリウム塩、カルシウム塩、亜鉛塩、マグネシウム塩、アンモニウム塩等が挙げられる。
【００７０】
ヒアルロン酸は、基本的にはβ−Ｄ−グルクロン酸の１位とβ−Ｄ−Ｎ−アセチル−グルコサミンの３位とが結合した２糖単位を少なくとも１個含む２糖以上のものでかつβ−Ｄ−グルクロン酸とβ−Ｄ−Ｎ−アセチル−グルコサミンとから基本的に構成され、２糖単位が複数個結合したものである。該糖は不飽和糖であってもよく、不飽和糖としては、非還元末端糖、通常、グルクロン酸の４，５位炭素間が不飽和のもの等が挙げられる。
【００７１】
原料修飾ヒアルロン酸および／またはその塩を製造するために使用するヒアルロン酸および／またはその塩（原料ヒアルロン酸および／またはその塩）は、動物等の天然物（例えば鶏冠、さい帯、皮膚、関節液などの生体組織など）から抽出されたものでもよく、または、微生物、動物細胞もしくは植物細胞を培養して得られたもの（例えばストレプトコッカス属の細菌等を用いた発酵法）、化学的または酵素的に合成されたものなどを使用することができる。
【００７２】
原料ヒアルロン酸および／またはその塩としては、当該粗抽出物および精製物のいずれを用いてもよいが、精製物、具体的には、カルボキシメチル化が円滑に進行できる点で、純度が９０％（質量比）以上の原料ヒアルロン酸および／またはその塩を用いることが好ましい。
【００７３】
＜原料ヒアルロン酸および／またはその塩の平均分子量＞
原料ヒアルロン酸および／またはその塩の平均分子量は通常、カルボキシメチル化を円滑に行うことができる点で、４，０００以上４００万以下であることが好ましく、３００万以下であることがより好ましい。なお、原料ヒアルロン酸および／またはその塩の平均分子量は、下記の方法にて測定することができる。
【００７４】
＜分子量の測定方法＞
即ち、約０．０５ｇの（精製）ヒアルロン酸類（本品）を精密に量り、０．２ｍｏｌ／Ｌ濃度の塩化ナトリウム溶液に溶かし、正確に１００ｍＬとした溶液及びこの溶液８ｍＬ、１２ｍＬ並びに１６ｍＬを正確に量り、それぞれに０．２ｍｏｌ／Ｌ濃度の塩化ナトリウム溶液を加えて正確に２０ｍＬとした溶液を試料溶液とする。この試料溶液および０．２ｍｏｌ／Ｌ濃度の塩化ナトリウム溶液につき、日本薬局方（第十六改正）一般試験法の粘度測定法（第１法毛細管粘度測定法）により３０．０±０．１℃で比粘度を測定し（式（Ａ））、各濃度における還元粘度を算出する（式（Ｂ））。還元粘度を縦軸に、本品の換算した乾燥物に対する濃度（ｇ／１００ｍＬ）を横軸にとってグラフを描き、各点を結ぶ直線と縦軸との交点から極限粘度を求める。ここで求められた極限粘度をＬａｕｒｅｎｔの式（式（Ｃ））に代入し、平均分子量を算出する（Ｔｏｒｖａｒｄ  Ｃ  Ｌａｕｒｅｎｔ，Ｍａｒｉｏｎ  Ｒｙａｎ,  ａｎｄ  Ａｄｏｌｐｈ  Ｐｉｅｔｒｕｓｚｋｉｅｗｉｃｚ，”Ｆｒａｃｔｉｏｎａｔｉｏｎ  ｏｆ  ｈｙａｌｕｒｏｎｉｃ  Ａｃｉｄ”，Ｂｉｏｃｈｅｍｉｎａ  ｅｔ  Ｂｉｏｐｈｙｓｉｃａ  Ａｃｔａ．，４２，４７６−４８５（１９６０）、四方田千佳子、「ヒアルロン酸ナトリウム製剤のＳＥＣ−ＭＡＬＬＳによる分子量評価」、国立衛研報、第１２１号，０３０−０３３(２００３)）。
（式Ａ）比粘度＝｛（試料溶液の所要流下秒数）／（０．２ｍｏｌ／Ｌ塩化ナトリウム溶液の所要流下秒数）｝−１
（式Ｂ）還元粘度（ｄＬ／ｇ）＝比粘度／(本品の換算した乾燥物に対する濃度ｇ／１００ｍＬ))
（式Ｃ）極限粘度（ｄＬ／ｇ）＝３．６×１０−４Ｍ０．７８
Ｍ：平均分子量
【００７５】
＜原料ヒアルロン酸および／またはその塩の含有量＞
原料ヒアルロン酸および／またはその塩において、ヒアルロン酸および／またはその塩の含有量は、原料ヒアルロン酸および／またはその塩の純度の指標であり、ヒアルロン酸および／またはその塩の含有量が多いほど、原料ヒアルロン酸および／またはその塩の純度が高いといえる。
【００７６】
本発明において、原料ヒアルロン酸および／またはその塩におけるヒアルロン酸の含有量は、カルバゾール硫酸法（例えば日本薬局方）にて測定されたグルクロン酸定量値から算出された値である。
【００７７】
カルバゾール硫酸法は、ホウ酸ナトリウム・硫酸溶液中にヒアルロン酸水溶液を加えて混和し、ヒアルロン酸を加熱分解した後冷却し、カルバゾール・エタノール溶液を加えて混和し、加熱後放冷した試料液の吸光度（５３０ｎｍ）を測定する方法である。同様に処理したＤ−グルクロノラクトンを用いて検量線を作成し、Ｄ−グルクロノラクトン換算値を算出した後、１．１０２を乗じてグルクロン酸定量値を求める。得られたグルクロン酸定量値に（ヒアルロン酸類の分子量／グルクロン酸の分子量）を乗じてヒアルロン酸類の含有量を算出する。
【００７８】
＜カルボキシメチル化＞
本発明において、「修飾ヒアルロン酸および／またはその塩」とは、少なくとも一部に有機基が導入されているヒアルロン酸および／またはその塩のことをいい、ヒアルロン酸および／またはその塩とは異なる構造を有する。また、本発明において「有機基」とは、炭素原子を有する基のことをいう。
【００７９】
したがって、本発明において、「カルボキシメチル基含有修飾ヒアルロン酸および／またはその塩」とは、少なくとも一部にカルボキシメチル基が導入されているヒアルロン酸および／またはその塩のことをいう。
【００８０】
より具体的には、原料修飾ヒアルロン酸および／またはその塩では、例えば、ヒアルロン酸（下記式（１）参照）を構成する水酸基（下記式（１）において、ヒアルロン酸を構成するＮ−アセチルグルコサミンのＣ−４位、Ｃ−６位、ならびに、ヒアルロン酸を構成するグルクロン酸のＣ−２位、Ｃ−３位）の少なくとも一部の水酸基の水素原子が、−ＣＨ２−ＣＯ２Ｈおよび／または−ＣＨ２−ＣＯ２−で表される基に置換されていることができる。すなわち、原料修飾ヒアルロン酸および／またはその塩では、これらの位置にある水酸基のうち１または２以上の位置にある水酸基の水素原子が、−ＣＨ２−ＣＯ２Ｈおよび／または−ＣＨ２−ＣＯ２−で表される基に置換されていてもよい。
【００８１】
【化１】
2015053282.tif 000002
（式中、ｎは１以上７，５００以下の数を示す。）
【００８２】
原料修飾ヒアルロン酸および／またはその塩は例えば、下記式（２）で表される化合物であることができる。
【００８３】
【化２】
2015053282.tif 000003
（式中、Ｒ１〜Ｒ５は独立して、水酸基、−ＣＨ２−ＣＯ２Ｈ、または−ＣＨ２−ＣＯ２−で表される基を表し（ただし、Ｒ１〜Ｒ５がいずれも水酸基を表す場合を除く。）ｎは１以上７，５００以下の数を示す。）
【００８４】
＜ｐＨ＞
第１架橋物の製造方法において、水酸基の求核性を高めることができる点で、前記原料ヒアルロン酸および／またはその塩とハロ酢酸および／またはその塩との反応は塩基性条件下で行われることが好ましく、反応液（含水溶媒）のｐＨが８以上（９以上１４以下、好ましくは１０以上１４以下、より好ましくは１１以上１４以下）であることがより好ましい。
【００８５】
なお、この場合、反応液を塩基性に調整するために、塩基性電解質を反応液中で使用することができる。塩基性電解質としては、例えば、水酸化ナトリウム、水酸化カリウム等のアルカリ金属の水酸化物、水酸化カルシウム、水酸化マグネシウム、水酸化バリウム等のアルカリ土類金属の水酸化物が挙げられる。原料修飾ヒアルロン酸および／またはその塩を効率良く得ることができる点で、反応液中の塩基性電解質の濃度は例えば、０．２モル／Ｌ以上１０モル／Ｌ以下であり、好ましくは、０．５モル／Ｌ以上であり、８モル／Ｌ以下である。
【００８６】
また、この場合、前記含水溶媒における前記ヒアルロン酸の濃度が０．０５ｇ／ｍＬ以上０．５ｇ／ｍＬ以下であることが好ましい。
【００８７】
＜ハロ酢酸および／またはその塩＞
原料修飾ヒアルロン酸および／またはその塩の製造方法において、ハロ酢酸および／またはその塩は、カルボキシメチル基を原料ヒアルロン酸および／またはその塩に導入するために使用される。
【００８８】
ハロ酢酸は例えば、モノハロ酢酸および／またはその塩であることができ、より具体的には、クロロ酢酸および／またはその塩、または、ブロモ酢酸またはその塩であることが好ましい。ハロ酢酸の塩は例えば、クロロ酢酸のアルカリ金属塩および／またはブロモ酢酸のアルカリ金属塩であることが好ましく、クロロ酢酸ナトリウムおよび／またはブロモ酢酸ナトリウムであることがより好ましい。
【００８９】
＜反応温度＞
ハロ酢酸および／またはその塩として、ブロモ酢酸および／またはその塩を使用する場合、低分子化の進行を抑制できる点で、反応液の温度を１０℃以下（例えば、０℃を超えかつ１０℃以下）で反応を行うことが好ましい。
【００９０】
例えば、高分子量（例えば８０万以上）であり、かつ、高いカルボキシメチル化率（例えば５０％以上、好ましくは５０％以上２００％以下））の原料修飾ヒアルロン酸および／またはその塩を製造するためには、ハロ酢酸および／またはその塩として、ブロモ酢酸および／またはその塩を使用して、反応液の温度を１０℃以下（例えば、０℃を超えかつ１０℃以下）で反応を行うことが好ましい。
【００９１】
＜ハロ酢酸および／またはその塩の使用量＞
ハロ酢酸および／またはその塩の使用量は通常、原料ヒアルロン酸および／またはその塩の使用量の１０％以上５００％以下（質量比）であり、５０％以上２００％以下（質量比）あることが好ましい。
【００９２】
＜含水溶媒＞
原料修飾ヒアルロン酸および／またはその塩の製造方法において、原料ヒアルロン酸および／またはその塩の溶解性が高い点から、前記含水溶媒は、水、または水溶性有機溶媒と水との混合液であることが好ましい。
【００９３】
含水溶媒が水溶性有機溶媒と水との混合液である場合、すなわち、含水溶媒が水および水溶性有機溶媒の両方を含む場合、ヒアルロン酸の溶解性を高めることができる点で、該混合液中における水溶性有機溶媒の割合は６０ｖ／ｖ％以下（０ｖ／ｖ％を超えて６０ｖ／ｖ％以下）であることが好ましく、４０ｖ／ｖ％以下（０ｖ／ｖ％を超えて４０ｖ／ｖ％以下）であることがより好ましい。
【００９４】
水溶性有機溶媒としては、例えば、メタノール、エタノール、１−プロパノール、２−プロパノールなどのアルコール系溶媒、アセトン、メチルエチルケトンなどのケトン系溶媒、テトラヒドロフラン、アセトニトリル等を挙げることができ、これらを単独でまたは組み合わせて使用することができる。このうち、イソプロパノール、エタノール等の炭素原子数１、２または３の低級アルコールが好ましい。
【００９５】
＜反応温度＞
前記反応において、カルボキシル化を円滑に進行でき、かつ、分子量の低下を抑制できる点から、反応液の温度は通常３０℃以下（好ましくは０℃を超えかつ３０℃以下）であることが好ましく、１０℃以下（好ましくは０℃を超えかつ３０℃以下）であることがより好ましい。特に、反応液の温度を１０℃以下とすることにより、高分子量（８０万以上）の原料修飾ヒアルロン酸および／またはその塩を容易に得ることができる。
【００９６】
例えば、ハロ酢酸および／またはその塩としてクロロ酢酸および／またはその塩を使用する場合、カルボキシメチル化が円滑に進行でき、かつ、得られる原料修飾ヒアルロン酸および／またはその塩の褐変を抑えることができる点で、前記反応における反応液の温度は通常（好ましくは０℃を超えかつ３０℃以下）であることができ、１℃以上３０℃以下であることが好ましい。
【００９７】
また、例えば、ハロ酢酸および／またはその塩としてブロモ酢酸および／またはその塩を使用する場合、カルボキシメチル化が円滑に進行でき、得られる原料修飾ヒアルロン酸および／またはその塩の褐変および分子量の低下を抑えることができる点で、前記反応における反応液の温度は通常１０℃以下（好ましくは０℃を超えかつ１０℃以下）であることができ、１℃以上１０℃以下であることが好ましい。
【００９８】
＜反応時間＞
前記反応において、カルボキシル化を円滑に進行でき、かつ、分子量の低下を抑制できる点から、反応時間は通常３０分以上１００時間以下であることが好ましく、６０分以上６０時間以下であることがより好ましい。
【００９９】
［第２架橋物の製造方法］
本発明の一実施形態に係る修飾ヒアルロン酸および／またはその塩の架橋物（以下、「第２架橋物」ともいう。）の製造方法は、上記実施形態に係る第１架橋物の製造方法において、前記電子線を照射する工程で得られる第１架橋物を含む第１組成物に、さらに別の架橋処理工程を施すことにより得られる第２架橋物を含む第２組成物を得ることができる。この場合、別の架橋処理工程は例えば、上記第１組成物を含む溶液を、−２００℃以上１０℃以下に保持する工程を含むことができる。
【０１００】
本実施形態に係る架橋物の製造方法（以下、単に「製造方法」ともいう。）によれば、上記別の架橋処理工程によって、前記架橋物の熱安定性および硬さをより高めることができる。すなわち、本実施形態に係る架橋物の製造方法によれば、第１架橋物よりも熱安定性および硬さがより高められた第２架橋物を製造することができる。
【０１０１】
＜第２架橋物の製造方法のメカニズム＞
本実施形態に係る製造方法では、前記保持する工程によって、該第１架橋物を構成する糖鎖同士の距離が短くなる結果、該糖鎖を構成する官能基同士（例えば、カルボキシル基同士、水酸基同士、Ｎ−アセチル基同士、カルボキシル基と水酸基、水酸基とアミノ基、アミノ基とカルボキシル基）の間に水素結合が生じる。その結果、該第１架橋物を構成する糖鎖同士が水素結合を介して強く結合することにより、熱安定性が高められた第２架橋物を得ることができると推測される。
【０１０２】
また、該第１架橋物を構成する糖鎖同士が水素結合を介して結合することにより、３次元網目構造が構築されると推測される。本実施形態に係る製造方法により得られる第２架橋物は、この３次元網目構造の中に水を取り込むことにより、後述する水膨張性ゲルを形成することができる。
【０１０３】
特に、修飾ヒアルロン酸および／またはその塩は、カルボキシメチル基を有している分、ヒアルロン酸および／またはその塩と比較して、ヒアルロン酸骨格の一構成単位中により多くのカルボキシル基を有する。すなわち、該一構成単位中において水素結合に関与することができるカルボキシル基が、ヒアルロン酸および／またはその塩よりも多いため、前記保持する工程において、より多くの水素結合を形成することができると推測される。
【０１０４】
したがって、第２架橋物は、室温にて、後述する優れた熱安定性を有する。すなわち、第２架橋物が有する水素結合は、室温では破壊され難い。なお、本実施例において、「室温」とは、２５℃以上３０℃以下の温度を意味する。
【０１０５】
＜保持温度＞
前記保持する工程における温度を調整することにより、第２架橋物の架橋の度合いを調整することができ、これにより、該第２架橋物を用いた水膨潤性ゲルの硬さを調整することができる。例えば、本実施形態に係る製造方法では、水素結合をより多く形成し、より硬く熱安定性がより高い水膨潤性ゲルの原料となる第２架橋物を得ることができる点で、前記保持する工程を−１℃以下で行うことがより好ましく、−１０℃以下で行うことがさらに好ましく、一方、−３０℃以上であることが好ましい。また、柔軟性を有する水膨潤性ゲルの原料となる第２架橋物を得ることができる点で、前記保持する工程を０℃以上２０℃以下で行うことがより好ましく、１℃以上１０℃以下で行うことがさらに好ましい。
【０１０６】
＜保持時間＞
本実施形態に係る製造方法では、前記保持する工程における保持温度や、所定の保持温度に保持するための装置の種類に応じて、前記保持する工程を、１秒間以上４００時間以下の時間で行うことができ、熱安定性および耐酵素分解性をより高めるために、３０時間以上の時間行うことが好ましく、一方、３００時間以下の時間であってもよく、９６時間以下の時間行うことができる。
【０１０７】
＜溶液中の第１架橋物の濃度＞
本実施形態に係る製造方法では、水素結合をより確実に形成して熱安定性をより高くすることができる点で、前記溶液における前記第１組成物の濃度が１質量％以上３０質量％以下であることが好ましく、一方、２５質量％以下であることがより好ましい。
【０１０８】
＜溶液のｐＨ＞
本実施形態に係る製造方法では、水素結合をより確実に形成して熱安定性をより高くすることができる点で、前記第１架橋物の溶液のｐＨは３以下（０以上３以下の範囲）であることがより好ましく、２以下であることがさらに好ましく、１以下であってもよい。
【０１０９】
前記保持する工程において、前記溶液のｐＨが３以下である場合、前記第１架橋物に含まれるカルボキシル基が酸型（−ＣＯ２Ｈ）になるため、該カルボキシル基同士および該カルボキシル基と他の官能基（例えば、水酸基、アミノ基等）の間で水素結合がより構築されやすくなるため、熱安定性がより優れていると推測される。
【０１１０】
なお、前記溶液のｐＨを酸性（ｐＨ７未満）に調整するために使用する酸は、該溶液のｐＨを酸性に調整できる酸であれば、いずれの酸を使用することができる。酸の使用量を低減できる観点から、該酸は例えば、塩酸、硫酸、硝酸、リン酸等の無機酸、酢酸、クエン酸等の有機酸を使用することができる。
【０１１１】
＜溶媒＞
本実施形態に係る製造方法では、前記第１架橋物を溶解させる溶媒は、水、および水と混和する水溶性有機溶媒との混和物であることができる。
【０１１２】
水溶性有機溶媒としては、例えば、メタノール、エタノール、１−プロパノール、２−プロパノールなどのアルコール系溶媒、アセトン、メチルエチルケトンなどのケトン系溶媒、テトラヒドロフラン、アセトニトリル等を挙げることができ、これらを単独でまたは組み合わせて使用することができる。
【０１１３】
＜洗浄工程＞
本実施形態に係る製造方法では、副生成物を除去することができる点（特に、前記溶液が酸を含む場合、該酸を除去してｐＨを高めることができる点）で、前記保持する工程により得られる架橋物（第２架橋物）を含む第２組成物を水で洗浄し、該架橋物（第２架橋物）以外の不純物を除去する工程をさらに含むことができる。
【０１１４】
前記洗浄で使用する洗浄液は、例えば、水および水と水溶性有機溶媒との混合液を使用することができる。ここで、水溶性有機溶媒は、前記修飾ヒアルロン酸および／またはその塩の溶解性が低いものであればよい。前記洗浄において、洗浄液の温度を３０℃以下（通常０℃以上２５℃以下、好ましくは３℃以上、より好ましくは４℃以上）にすることにより、前記保持する工程において形成された水素結合を維持することができるため、最終的に得られる第２架橋物の特性（熱安定性、水膨潤性）を維持することができる。
【０１１５】
＜繰り返し処理＞
本実施形態に係る製造方法では、水素結合をより確実に形成させて熱安定性をより高めることができる点で、前記保持する工程および前記洗浄工程の組み合わせを１回以上繰り返すことが好ましく、通常、２回以上５回以下繰り返すことができる。
【０１１６】
＜収率＞
本実施形態に係る製造方法では、前記保持する工程により、前記第２架橋物を含む第２組成物が得られ、前記第２組成物を水で洗浄して、前記第２架橋物を得る工程をさらに含む場合、前記第２組成物の質量に対する、前記第２架橋物の質量が３０％以上であることが好ましく、４０％以上であることがより好ましく、５０％以上であることがさらに好ましい。なお、前記収率は、本願実施例に示される方法により算出することができる。
【０１１７】
［第３架橋物の製造方法］
本発明の一実施形態に係る修飾ヒアルロン酸および／またはその塩の架橋物（以下、「第３架橋物」ともいう。）の製造方法は、上記実施形態に係る第１架橋物の製造方法における前記電子線を照射する工程で得られる第１架橋物を含む第１組成物と修飾ヒアルロン酸および／またはその塩との混合物を−２００℃以上１０℃以下に保持する工程を含む。当該保持する工程により、第３架橋物を含む第３組成物が得られる。なお、上記第３架橋物の製造方法において、前記第１組成物の代わりに、第１組成物を洗浄して得られた第１架橋物を使用してもよい。
【０１１８】
上記保持する工程によって、第１架橋物よりも膨潤度が高められ、柔らかいゲルを得ることができる第３架橋物を製造することができる。
【０１１９】
＜第３架橋物の製造方法のメカニズム＞
本実施形態に係る製造方法では、前記保持する工程によって、第１架橋物を構成する糖鎖同士の距離が短くなる結果、該糖鎖を構成する官能基（例えば、第２架橋物の説明の欄で例示されたもの）同士の間に水素結合が生じる、該水素結合を介して３次元網目構造が構築され、さらに、該第１架橋物の存在下で、修飾ヒアルロン酸および／またはその塩ならびに該第１架橋物を構成する糖鎖同士が水素結合を介して強く結合することにより、該第１架橋物を構成する３次元網目構造中にさらに新たな３次元網目構造が構築されるため、熱安定性がより高められた第３架橋物を得ることができると推測される。
【０１２０】
また、第１組成物中には、第１架橋物のほか、前記電子線を照射する工程により生じる副生成物（例えば、低分子化された修飾ヒアルロン酸および／またはその塩）や未反応の修飾ヒアルロン酸および／またはその塩等の化合物が含まれており、上記保持する工程によって、該化合物も３次元網目構造の構築に関与することができる。これにより、第３架橋物は、熱安定性がより高められている。
【０１２１】
第３架橋物は、上述の２重の３次元網目構造の中に水を取り込むことにより、後述する水膨張性ゲルを形成することができる。
【０１２２】
したがって、第３架橋物は、室温にて、後述する、より優れた酵素安定性および熱安定性を有する。すなわち、第３架橋物が有する水素結合は、室温では破壊され難い。
【０１２３】
ここで、耐酵素分解性および熱安定性により優れた第３架橋物を得ることができる点で、前記溶液中の前記第１組成物の濃度が１質量％以上３０質量％以下であることが好ましく、２質量％以上であることがより好ましく、一方、１５質量％以下であることが好ましく、１０質量％以下であることがより好ましい。また、同様に、前記溶液中の修飾ヒアルロン酸および／またはその塩の濃度は１質量％以上３０質量％以下であることが好ましく、２質量％以上であることがより好ましく、一方、１５質量％以下であることが好ましく、１０質量％以下であることがより好ましい。
【０１２４】
また、前記第３組成物を得る工程において、さらに優れた酵素安定性および熱安定性を得ることができる点で、前記溶液中の前記第１組成物／前記修飾ヒアルロン酸（質量比）が、１／１０以上１０／１以下であることができ、１／５以上であることが好ましく、１／３以上であることがより好ましく、一方、５／１以下であることが好ましく、３／１以下であることがより好ましい。
【０１２５】
＜膨潤溶解＞
該混合物中の第１架橋物ならびに修飾ヒアルロン酸および／またはその塩の分子量の低下を抑え、かつ、該混合物を衛生的に保つために、該混合物を溶媒に溶解させて溶液を調製する際、例えば０℃以上２０℃以下の温度にて５時間以上４８時間以下保持することにより、該混合物を膨潤させて溶解させることが好ましい。
【０１２６】
第３架橋物を得るための該混合物を保持する工程において、保持温度、保持時間、該溶液中における第１架橋物の濃度、該溶液のｐＨ、溶媒および洗浄工程はそれぞれ、第２架橋物を得るための前記保持する工程における保持温度、保持時間、溶液中における第１架橋物の濃度、溶液のｐＨ、溶媒および洗浄工程と同様である。
【０１２７】
［第１架橋物、第２架橋物および第３架橋物］
＜第１架橋物＞
本発明の一実施形態に係る修飾ヒアルロン酸および／またはその塩の架橋物（第１架橋物）は、上記実施形態に係る第１架橋物の製造方法によって得ることができる。
【０１２８】
（水膨潤性）
第１架橋物は、水膨潤性を有することができる。本発明において「水膨潤性」とは、水を取り込んで膨潤する性質のことをいい、一般に、水を取り込んでゲル状になる性質のことをいう。第１架橋物は、電子線照射による架橋によって形成された３次元網目構造を有し、該３次元網目構造の中に水を取り込むことにより膨潤して、ゲルを構成する。
【０１２９】
なお、本発明において、「ゲル」とは、三次元網目構造を有する高分子をいい、「水膨潤性ゲル」とは、三次元網目構造の内部に水を取り込んで保持する膨潤体のことをいい、より具体的には、桐山ロート用の濾紙Ｎｏ．７０７上に１時間置いたときに該濾紙から水が流出しない性質を有する高分子をいう。
【０１３０】
（膨潤度）
また、第１架橋物は、水膨潤性を有し、水に対する膨潤度が１０倍以上１，０００倍以下（質量比）である。
【０１３１】
また、本発明において、「膨潤度」とは、水膨潤性ゲルにおいて、架橋物の質量に対する水の質量（架橋物と水との質量比）を意味する。
【０１３２】
より具体的には、第１架橋物は、水に対する膨潤度が１０倍以上１，０００倍以下であることが好ましい。
【０１３３】
より安定して水を保持できる点で、第１架橋物の膨潤度は、１５倍以上（質量比）であることがより好ましく、一方、５００倍以下（質量比）であることがより好ましく、１００倍以下（質量比）であることがより好ましい。
【０１３４】
（可逆的な水膨潤性）
第１架橋物の特徴のひとつとして、可逆的な水膨潤性を有することが挙げられる。本発明において、「可逆的な水膨潤性」とは、水を加えると膨潤してゲルになり、ゲルを乾燥させて水を除去すると固体になる性質を有し、かつ、ゲルから固体への変化および固体からゲルへの変化を繰り返すことができる性質をいう。第１架橋物が可逆的な水膨潤性を有することにより、ゲルから固体への変化および固体からゲルへの変化を何度も繰り返すことができるため、取扱性に優れている。
【０１３５】
（保存安定性）
第１架橋物は固体であるため、固体として保存が可能である。ヒアルロン酸、第１架橋物等の多糖類は通常、水が存在する状態（例えば、水溶液やゲルの状態）で保存するよりも、固体の状態で保存するほうが、分解を抑制することができる。このため、第１架橋物は保存安定性が優れている。
【０１３６】
（耐酵素分解性）
第１架橋物は耐酵素（ヒアルロニダーゼ）分解性を有する。より具体的には、第１架橋物の濃度が０．１質量％（固形分）になるように５０ｍＭリン酸緩衝液中に分散させて調製された混合物を、ヒアルロニダーゼ（５単位／架橋物１ｍｇあたり）存在下で４０℃にて２４時間保存した後の残存率が１％以上であることが好ましく、１０％以上１００％以下の範囲内であることがより好ましい。なお、耐酵素分解性は例えば、本願実施例に示される方法により測定することができる。
【０１３７】
第１架橋物が耐酵素分解性に優れている原因のひとつとして、第１架橋物がカルボキシメチル基を有することが挙げられる。第１架橋物がカルボキシメチル基を有することより、ヒアルロニダーゼが、第１架橋物に含まれるヒアルロン酸骨格を認識しづらくなるため、耐酵素分解性が向上すると推測される。
【０１３８】
なお、第１架橋物がカルボキシメチル基を有することは、例えば、架橋物の１Ｈ−ＮＭＲスペクトル解析において、３．８ｐｐｍ以上４．２ｐｐｍ以下に現れるピークの存在により同定することができる。
【０１３９】
（熱安定性）
第１架橋物は熱安定性を有する。より具体的には、第１架橋物の濃度が１質量％（固形分）になるように生理食塩水中に分散させて調製された混合物を、５０℃にて２４時間保存した後の残存率が１％以上であることが好ましい。なお、熱安定性は例えば、本願実施例に示される方法により測定することができる。第１架橋物によれば、５０℃にて２４時間保存した後の残存率が１％以上であることにより、熱安定性を有する。
【０１４０】
＜第２架橋物および第３架橋物＞
第２架橋物は、上記第２組成物を得る方法によって得られ、第３架橋物は、上記第３組成物を得る方法によって得られる。上記実施形態に係る製造方法によって、第１架橋物よりも水膨潤性および熱安定性が高められた第２架橋物および第３架橋物を得ることができる。  
【０１４１】
なお、第２架橋物および第３架橋物は、原料である第１架橋物と同様の化学構造式、平均分子量および修飾率を有するものの、上述した水素結合の形成に起因して、第１架橋物とは異なる物理的性質（後述する水膨張性および熱安定性）を有する。
【０１４２】
すなわち、第２架橋物および第３架橋物はカルボキシメチル基を含むことにより、ヒアルロン酸および／またはその塩と比較して、水素結合に関与できるカルボキシル基を多く含むため、熱安定性により優れている。
【０１４３】
（水膨潤性）
第２架橋物および第３架橋物は、水膨潤性を有することができる。本発明において「水膨潤性」とは、水を取り込んで膨潤する性質のことをいい、一般に、水を取り込んでゲル状になる性質のことをいう。第２架橋物および第３架橋物は、電子線照射による架橋によって形成された３次元網目構造を有し、該３次元網目構造の中に水を取り込むことにより膨潤して、ゲルを構成する。
【０１４４】
（膨潤度）
また、第２架橋物および第３架橋物は、水膨潤性を有し、水に対する膨潤度が１０倍以上１，０００倍以下（質量比）である。
【０１４５】
また、第２架橋物および第３架橋物は、水に対する膨潤度が２０倍以上３００倍以下であることが好ましい。
【０１４６】
より安定して水を保持できる点で、第２架橋物および第３架橋物の膨潤度は、３０倍以上（質量比）であることがより好ましく、一方、１００倍以下（質量比）であることができる。
【０１４７】
（可逆的な水膨潤性）
第２架橋物および第３架橋物の特徴のひとつとして、可逆的な水膨潤性を有することが挙げられる。本発明において、「可逆的な水膨潤性」とは、水を加えると膨潤してゲルになり、ゲルを乾燥させて水を除去すると固体になる性質を有し、かつ、ゲルから固体への変化および固体からゲルへの変化を繰り返すことができる性質をいう。第２架橋物および第３架橋物が可逆的な水膨潤性を有することにより、ゲルから固体への変化および固体からゲルへの変化を何度も繰り返すことができるため、取扱性に優れている。
【０１４８】
（保存安定性）
第２架橋物および第３架橋物は固体であるため、固体として保存が可能である。ヒアルロン酸、第２架橋物および第３架橋物等の多糖類は通常、水が存在する状態（例えば、水溶液やゲルの状態）で保存するよりも、固体の状態で保存するほうが、分解を抑制することができる。このため、第２架橋物および第３架橋物は保存安定性が優れている。
【０１４９】
（耐酵素分解性）
第２架橋物および第３架橋物は耐酵素（ヒアルロニダーゼ）分解性を有する。より具体的には、第２架橋物または第３架橋物の濃度が０．１質量％（固形分）になるように５０ｍＭリン酸緩衝液中に分散させて調製された混合物を、ヒアルロニダーゼ（５単位／架橋物１ｍｇあたり）存在下で４０℃にて２４時間保存した後の残存率が１％以上であることが好ましく、３％以上１００％以下の範囲内であることがより好ましい。なお、耐酵素分解性は例えば、本願実施例に示される方法により測定することができる。特に、第３架橋物は、２重の３次元網目構造を有するため、より優れた耐酵素分解性を有する。
【０１５０】
第２架橋物および後述する第３架橋物が耐酵素分解性に優れている原因のひとつとして、第２架橋物および第３架橋物がカルボキシメチル基を有することが挙げられる。第２架橋物および第３架橋物がカルボキシメチル基を有することより、ヒアルロニダーゼが、第２架橋物および第３架橋物に含まれるヒアルロン酸骨格を認識しづらくなるため、耐酵素分解性が向上すると推測される。
【０１５１】
なお、第２架橋物および第３架橋物がカルボキシメチル基を有することは、例えば、架橋物の１Ｈ−ＮＭＲスペクトル解析において、３．８ｐｐｍ以上４．２ｐｐｍ以下に現れるピークの存在により同定することができる。
【０１５２】
（熱安定性）
第２架橋物および第３架橋物は熱安定性を有する。より具体的には、第２架橋物または第３架橋物の濃度が１質量％（固形分）になるように生理食塩水中に分散させて調製された混合物を、５０℃にて２４時間保存した後の残存率が１％以上であることが好ましく、９６時間保存した後の残存率が１％以上であることがより好ましい。なお、熱安定性は例えば、本願実施例に示される方法により測定することができる。
【０１５３】
また、第２架橋物および第３架橋物の熱安定性は、上述した水素結合に起因しているため、当該熱安定性は経時的に緩やかに低下する。より具体的には、第２架橋物は、生体内に存在する熱（例えば３７℃〜４０℃前後）によって徐々に水素結合が解離する性質を有するため、適度な熱安定性を有する。
【０１５４】
［水膨潤性ゲル］
＜架橋物の含有量＞
本発明の一実施形態に係る水膨潤性ゲルは、第１架橋物、第２架橋物および第３架橋物から選ばれる少なくとも１つの架橋物（以下、単に「少なくとも１つの架橋物」ともいう。）と、水と、を含み、前記第１架橋物および／または第２架橋物の含有量が固形分換算で０．１質量％以上１０質量％以下である。すなわち、前記少なくとも１つの架橋物は、第１架橋物、第２架橋物および第３架橋物から選ばれる１種または２種以上であることができる。
【０１５５】
より具体的には、本実施形態に係る水膨潤性ゲルが第１架橋物を含む場合、前記第１架橋物の含有量は固形分換算で０．５質量％以上１０質量％以下であることが好ましい。
【０１５６】
水膨潤性ゲルの安定性をより高めることができる点で、本実施形態に係る水膨潤性ゲルにおける前記第１架橋物の含有量は固形分換算で０．８質量％以上であることが好ましく、１質量％以上であることがより好ましく、一方、８質量％以下であることが好ましく、５質量％以下であることがより好ましい。
【０１５７】
また、本実施形態に係る水膨潤性ゲルが第２架橋物を含む場合、前記第２架橋物の含有量は固形分換算で０．２質量％以上１０質量％以下であることが好ましい。
【０１５８】
水膨潤性ゲルの安定性をより高めることができる点で、本実施形態に係る水膨潤性ゲルにおける前記第２架橋物の含有量は固形分換算で０．５質量％以上であることが好ましく、一方、８質量％以下であることが好ましく、５質量％以下であることがより好ましい。
【０１５９】
また、本実施形態に係る水膨潤性ゲルが第３架橋物を含む場合、前記第３架橋物の含有量は固形分換算で０．２質量％以上１０質量％以下であることが好ましい。
【０１６０】
水膨潤性ゲルの安定性をより高めることができる点で、本実施形態に係る水膨潤性ゲルにおける前記第３架橋物の含有量は固形分換算で０．５質量％以上であることが好ましく、一方、８質量％以下であることが好ましく、５質量％以下であることがより好ましい。
【０１６１】
本実施形態に係る水膨潤性ゲルに含まれる水の割合は、本実施形態に係る水膨潤性ゲルを乾燥させて水を除去する前後の質量差に対する、本実施形態に係る水膨潤性ゲルの乾燥前の質量より算出することができる。なお、本実施形態に係る水膨潤性ゲルの乾燥（水の除去）は、例えば、真空乾燥、減圧乾燥、凍結乾燥により行うことができる。
【０１６２】
また、熱安定性により優れている点で、本実施形態に係る水膨潤性ゲルのｐＨは３以上８以下であることが好ましい。
【０１６３】
＜熱安定性＞
本実施形態に係る水膨潤性ゲルは、熱安定性を有する。より具体的には、本実施形態に係る水膨潤性ゲルは、５０℃にて２４時間保存した後の残存率が１％以上であることが好ましく、９６時間保存した後の残存率が１％以上であることがより好ましい。
【０１６４】
＜耐酵素分解性＞
本実施形態に係る水膨潤性ゲルは、耐酵素分解性に優れている。より具体的には、本実施形態に係る水膨潤性ゲルは、ヒアルロニダーゼ（５単位／ゲル１ｍＬあたり）存在下で４０℃にて２４時間保存した後の残存率が１％以上であることが好ましく、１０％以上１００％以下の範囲内であることがより好ましい。
【０１６５】
［医療材料］
本発明の一実施形態に係る医療材料は、上記少なくとも１つの架橋物（例えば、水膨潤性ゲル）を含む。本実施形態に係る医療材料が、上記少なくとも１つの架橋物を含むことにより、耐酵素分解性および熱安定性を有し、固体にて保存が可能であるため、保存安定性に優れている。
【０１６６】
特に、本実施形態に係る医療材料が、上記実施形態に係る水膨潤性ゲルを含むことにより、上記実施形態に係る水膨潤性ゲルの可逆的な水膨潤性に起因して、使用時に、第１架橋物および／または第２架橋物に水を加えて水膨潤性ゲルを調製することができるため、取扱性に優れている。
【０１６７】
本実施形態に係る医療材料は、一般に生体内適合性が求められる用途に使用することができる。当該用途としては、例えば、癒着防止剤、皮下注射剤、薬物徐放剤、薬理活性物質の担体、創傷被覆材、人工皮膚、外科手術用縫合糸、止血剤、人工臓器、医療用具、医療器具が挙げられる。
【０１６８】
＜癒着防止剤・皮下注射剤＞
本実施形態に係る医療材料に含まれる上記実施形態に係る少なくとも１つの架橋物（例えば、水膨潤性ゲル）は、適度な熱安定性を有し、かつ、優れた耐酵素分解性に優れている。このため、本実施形態に係る医療材料を例えば、癒着防止剤、皮下注射剤として使用する場合、上記実施形態に係る水膨潤性ゲルが生体内である程度の期間分解されずに残存し、その後、生体内で分解されるため、組織同士の癒着を防止することができ、かつ、安全性に優れている。
【０１６９】
＜成形体＞
本実施形態に係る医療材料は、上記実施形態に係る少なくとも１つの架橋物を含むため、適用部位に応じて成形することができ、例えば、ゲル状、シート状、フィルム状、粒子状、繊維状、スポンジ状、チューブ状であることができ、外科手術に使用することができる。より具体的には、シート状またはフィルム状の本実施形態に係る医療材料を患部に貼付することができる。また、本実施形態に係る医療材料が上記実施形態に係る水膨潤性ゲルを含む場合、例えば、内視鏡手術において、ゲル状の本実施形態に係る医療材料を、内視鏡を用いて患部に容易に注入することができるため、癒着防止剤として好適に用いることができる。
【０１７０】
＜膝関節注射剤＞
本実施形態に係る医療材料は例えば、膝関節注射剤として使用されることができる。本実施形態に係る医療材料が上記実施形態に係る水膨潤性ゲルを含む場合、適度な弾力性および適度な熱安定性を有し、かつ、優れた耐酵素分解性を有する。このため、本実施形態に係る医療材料を例えば、膝関節注射剤として使用する場合、上記実施形態に係る水膨潤性ゲルが生体内である程度の期間分解されずに残存することができ、かつ、安全性に優れている。
【０１７１】
＜薬物徐放剤＞
本実施形態に係る医療材料は例えば、薬物徐放剤として使用されることができる。本実施形態に係る医療材料が上記実施形態に係る水膨潤性ゲルを含む場合、保水性、適度な熱安定性および優れた耐酵素分解性に優れている。このため、本実施形態に係る医療材料を例えば、薬物徐放剤として使用する場合、上記実施形態に係る水膨潤性ゲルが生体内である程度の期間分解されずに残存し、その後、生体内で分解されるため、薬物の徐放を補助する作用を有し、かつ、安全性に優れている。
【０１７２】
なお、本実施形態に係る医療材料には、必要に応じて、増量剤、結合剤、滑沢剤、保存剤、酸化防止剤、香料、甘味料、酸味料、賦形剤等を配合することができる。また、ビタミンＣ、ビタミンＢ２、ビタミンＢ１２、ビタミンＥ等のビタミン類、核酸、コンドロイチン硫酸、コラーゲン等の栄養成分、鉄、亜鉛等のミネラル成分等の各種栄養成分を配合することもできる。
【０１７３】
第１架橋物の良好な水膨潤性、熱安定性を利用して、第１架橋物は例えば、癒着防止剤、膝関節注射剤、美容用材料、化粧料として好適に使用することができる。
【０１７４】
また、第２架橋物の適度な熱安定性を利用して、第２架橋物は特に、美容用材料、化粧料として好適に使用することができる。
【０１７５】
さらに、第３架橋物の良好な酵素安定性を利用して、第３架橋物は特に、癒着防止剤、膝関節注射剤、美容用材料として好適に使用することができる。
【０１７６】
［化粧料］
本発明の一実施形態に係る化粧料は、上記実施形態に係る少なくとも１つの架橋物（例えば、水膨潤性ゲル）を含む。
【０１７７】
＜保水効果＞
また、上記実施形態に係る少なくとも１つの架橋物は、該架橋物を構成するカルボキシル基に起因して、高い保水効果を有する。なかでも、上記実施形態に係る少なくとも１つの架橋物に含まれるカルボキシル基が水と水素結合を構成するため、該カルボキシル基に起因して、優れた保水力を発揮すると推測される。このため、例えば皮膚等の生体組織において高い保水効果を有する。したがって、上記実施形態に係る少なくとも１つの架橋物を例えば化粧料の成分として使用することにより、高い保湿効果を奏することができる。
【０１７８】
したがって、本実施形態に係る化粧料に含まれる上記実施形態に係る少なくとも１つの架橋物は、高い保水効果、適度な熱安定性および優れた耐酵素分解性に優れているため、化粧料として使用する場合、生体内で徐々に分解するため、高い保湿作用が長く持続する。また、本実施形態に係る化粧料が上記実施形態に係る水膨潤性ゲルを含む場合、ゲルとして適度な弾力性を有するため、化粧料に配合した場合、ゲル特有の触感を生じさせることができるうえ、ゲルの中に有効成分を配合することにより、有効成分を徐放させることができる。
【０１７９】
上記実施形態に係る水膨潤性ゲルは、生体組織の表面に塗布または接触して摂取させてもよいし、特に、顔、腕、手指、足、関節などの皮膚に塗布または接触させるのが好ましい。
【０１８０】
本実施形態に係る化粧料の態様は特に限定されないが、例えば、皮膚用化粧料が挙げられる。上記実施形態に係る少なくとも１つの架橋物を皮膚用化粧料に使用することにより、適度な粘度を有し、かつ、保水効果が高いため、皮膚に潤いを付与し、皮膚のかさつき感を改善することができる。
【０１８１】
本実施形態に係る皮膚用化粧料の態様としては、例えば、洗顔料、洗浄料、化粧水（例えば、美白化粧水）、クリーム（例えば、バニシングクリーム、コールドクリーム）、乳液、美容液、パック（例えば、ゼリー状ピールオフタイプ、ペースト状拭き取りタイプ、粉末状洗い流しタイプ）、クレンジング、ファンデーション、口紅、リップクリーム、リップグロス、リップライナー、頬紅、シェービングローション、アフターサンローション、デオドラントローション、ボディローション（ハンドケアローション、フットケアローションを含む）、ボディオイル、石鹸、入浴剤が挙げられる。
【０１８２】
本実施形態に係る化粧料にはさらに、以下の成分が配合されていてもよい。前記成分としては、例えば、カチオン化多糖類（例えば、カチオン化ヒアルロン酸、カチオン化ヒドロキシエチルセルロース、カチオン化グアーガム、カチオン化澱粉、カチオン化ローカストビーンガム、カチオン化デキストラン、カチオン化キトサン、カチオン化ハチミツ等）、アニオン界面活性剤（例えば、アルキルベンゼンスルホン酸塩、ポリオキシアルキレンアルキルエーテル硫酸エステル塩、アルキル硫酸エステル塩、オレフィンスルホン酸塩、脂肪酸塩、ジアルキルスルホコハク酸塩等）、非イオン界面活性剤（例えば、ポリオキシエチレン脂肪酸エステル、ポリオキシエチレン硬化ヒマシ油誘導体等）、陽イオン界面活性剤（例えば、アルキルトリメチルアンモニウム塩、ジアルキルジメチルアンモニウム塩、アルキルピリジニウム塩、塩化ステアリルトリメチルアンモニウム等）、両性界面活性剤（例えば、アルキルベタイン、アルキルアミドプロピルベタイン、イミダゾリニウムベタイン、卵黄レシチン、大豆レシチン等）、油分（例えば、シリコーン、シリコーン誘導体、流動パラフィン、スクワラン、ミツロウ、カルナバロウ、オリーブ油、アボガド油、ツバキ油、ホホバ油、馬油等）、保湿剤（例えば、ヒアルロン酸ナトリウム、加水分解ヒアルロン酸、アセチル化ヒアルロン酸、ヒアルロン酸ジメチルシラノール、セラミド、ラウロイルグルタミン酸ジフィトステリルオクチルドデシル、フィトグリコーゲン、加水分解卵殻膜、トレハロース、グリセリン、アテロコラーゲン、ソルビトール、マルチトール、１，３−ブチレングリコール等）、高級脂肪酸（例えば、ラウリン酸、ベヘニン酸、パルミチン酸、ステアリン酸、イソステアリン酸、オレイン酸等）、高級アルコール（例えば、セチルアルコール、ステアリルアルコール、ベヘニルアルコール、イソステアリルアルコール、バチルアルコール等）、多価アルコール（例えば、グリセリン、ジグリセリン、１，３−プロパンジオール、プロピレングリコール、ポリエチレングリコール、ペンチレングリコール等）、増粘剤（例えば、セルロースエーテル、カルボキシビニルポリマー、キサンタンガム、パルミチン酸デキストリン等）、両性高分子樹脂化合物（例えば、ベタイン化ジアルキルアミノアルキルアクリレート共重合体等）、カチオン性高分子樹脂化合物（例えば、ビニルピロリドン／ジメチルアミノエチルメタクリレート共重合体カチオン化物、ポリジメチルジアリルアンモニウムハライド型カチオン性ポリマー等）、防腐剤（例えば、メチルパラベン、エチルパラベン、ブチルパラベン、プロピルパラベン、フェノキシエタノール等）、酸化防止剤（例えば、トコフェノール、ＢＨＴ等）、金属封鎖剤（例えば、エデト酸塩、エチドロン酸塩等）、紫外線吸収剤（例えば、ベンゾフェノン誘導体、パラアミノ安息香酸誘導体、メトキシ桂皮酸誘導体等）、紫外線反射剤（例えば、酸化チタン、酸化亜鉛等）、タンパク質加水分解物（例えば、ケラチンペプチド、コラーゲンペプチド、大豆ペプチド、コムギペプチド、ミルクペプチド、シルクペプチド、卵白ペプチド等）、アミノ酸（例えば、アルギニン、グルタミン酸、グリシン、アラニン、ヒドロキシプロリン、システイン、セリン、Ｌ−テアニン等）、天然物エキス（クジンエキス、カジルエキス海草エキス、ユーカリエキス、ローヤルゼリーエキス、ローズマリーエキス、ブナの木エキス等）、その他の機能性成分（コエンザイムＱ１０、アルブチン、ポリクオタニウム５１、エラスチン、白金ナノコロイド、パルミチン酸レチノール、パンテノール、アラントイン、ジラウロイルグルタミン酸リシンナトリウム、リン酸アスコルビルマグネシウム、Ｌ−アスコルビン酸２−グルコシド、エラグ酸、コウジ酸、リノール酸、トラネキサム酸等）、リン脂質ポリマー、香料、色素が挙げられる。
【０１８３】
［美容用材料］
本発明の一実施形態に係る美容用材料は、上記実施形態に係る少なくとも１つの架橋物（例えば、水膨潤性ゲル）を含む。本実施形態に係る美容用材料を、例えば、顔、頭、首、胸部、腹部、臀部、背中、腰、上肢、下肢に注射することにより、美容上の効果（例えば、豊胸、美顔、美脚等、外観をより良くするため）を奏するために使用することができる。
【０１８４】
本実施形態に係る美容用材料は、適度な耐酵素分解性と熱安定性とを兼ね備えている。例えば、本実施形態に係る美容用材料が第２架橋物を含む場合、適度な柔軟性を有するため、使用感が良好である。また、本実施形態に係る美容用材料が第２架橋物を含む場合、適度な硬さを有し、かつ、生体内において適度な安定性を有する。また、例えば、本実施形態に係る美容用材料が第３架橋物を含む場合、良好な耐酵素分解性を有するため、生体内において適度な安定性を有する。
【０１８５】
［実施例］
以下、実施例によって本発明をさらに詳細に説明するが、本発明は実施例に限定されない。
【０１８６】
＜実施例１：カルボキシメチル基含有修飾ヒアルロン酸（原料修飾ヒアルロン酸）の調製＞
３０ｍｌのサンプル瓶に水酸化ナトリウム１．０４ｇを秤り取った後、水１２ｍｌを添加して溶解させた。次に、分子量が１７５万のヒアルロン酸２．０ｇを添加し溶解させた後、モノブロモ酢酸３．６２ｇを添加して溶解させて、１℃で１６時間静置した。その後、２００ｍｌビーカーにエタノール８０ｍｌを入れ、該反応液を撹拌しながら添加した。その後、４００メッシュのろ布で沈殿を回収した後、１０％塩化ナトリウム水溶液４０ｍｌを添加して沈殿を溶解させた。さらに、８％塩酸水溶液でｐＨを調製した後、エタノール１００ｍｌで３回洗浄した後、減圧濾過し、５５℃で３時間減圧乾燥することにより、実施例１のカルボキシメチル基含有修飾ヒアルロン酸を得た。
【０１８７】
実施例１のカルボキシメチル基含有修飾ヒアルロン酸は、分子量が１２１万であり、カルボキシメチル化率が９９％であった。なお、カルボキシメチル化率を、後述する方法により測定および算出した。
【０１８８】
＜実施例２：カルボキシメチル基含有修飾ヒアルロン酸（原料修飾ヒアルロン酸）の調製＞
実施例１において、分子量の１７０万の原料ヒアルロン酸を用いた以外は、実施例１と同様の操作を行い、実施例２のカルボキシメチル基含有修飾ヒアルロン酸を得た。
【０１８９】
実施例２のカルボキシメチル基含有修飾ヒアルロン酸は、分子量が１１８万であり、カルボキシメチル化率が９８％であった。
【０１９０】
＜実施例３：カルボキシメチル基含有修飾ヒアルロン酸（原料修飾ヒアルロン酸）の調製＞
実施例１において、反応時間を３時間にした以外は、実施例１と同様の操作を行い、実施例３のカルボキシメチル基含有修飾ヒアルロン酸を得た。
【０１９１】
実施例３のカルボキシメチル基含有修飾ヒアルロン酸は、分子量が１５９万であり、カルボキシメチル化率が６１％であった。
【０１９２】
＜実施例４：カルボキシメチル基含有修飾ヒアルロン酸（原料修飾ヒアルロン酸）の調製＞
実施例１と同様の操作を行い、実施例４のカルボキシメチル基含有修飾ヒアルロン酸を得た。
【０１９３】
実施例４のカルボキシメチル基含有修飾ヒアルロン酸は、分子量が１０６万であり、カルボキシメチル化率が９９％であった。
【０１９４】
＜カルボキシメチル化率の測定および算出＞
なお、実施例１で得られたカルボキシメチル基含有修飾ヒアルロン酸のカルボキシメチル化率は、以下の方法にて１Ｈ−ＮＭＲスペクトルの積算値より求めた。
（試料調製）
試料７ｍｇと内部標準物質４，４−ジメチル−４−シラペンタンスルホン酸ナトリウム（ＤＳＳ）１ｍｇを重水０．７ｍｌに溶かし、ＮＭＲ試料管に移し入れ、キャップした。
（測定条件）
装置：Ｖａｒｉａｎ  ＮＭＲ  ｓｙｓｔｅｍ  ４００ＮＢ型(バリアンテクノロジーズジャパンリミテッド)
観測周波数：４００ＭＨｚ
温度：３０℃
基準：ＤＳＳ（０ｐｐｍ）
積算回数：６４回
（解析方法）
１Ｈ−ＮＭＲスペクトルの２．０ｐｐｍ付近に現れるヒアルロン酸のＮ−アセチル基（ＣＨ３）のピークと、３．８ｐｐｍ以上４．２ｐｐｍ以下の範囲に現れるカルボキシメチル基のメチレン基（−ＣＨ２−）のピークを積分した。積分値から下記の式より、修飾ヒアルロン酸を構成するヒアルロン酸の２糖繰り返し単位毎に結合しているカルボキシメチル基の数を、カルボキシメチル化率（ＣＭ化率）を求めた。
ＣＭ化率＝(３．８ｐｐｍ以上４．２ｐｐｍ以下の範囲に現れるピーク積分値／２)／(２．０ＰＰＭのピーク積分値／３)
【０１９５】
＜実施例５：第１架橋物の調製＞
実施例１ないし３でそれぞれ得られたカルボキシメチル基含有修飾ヒアルロン酸に対して、電子線照射装置（型名ＥＰＳ−８００、(株)ＮＨＶコーポレーション）を用いて、表１に示す各条件にて電子線照射を行った。
【０１９６】
より具体的には、実施例１ないし３でそれぞれ得られたカルボキシメチル基含有修飾ヒアルロン酸を、表１に示した添加物または水と共に、表１に示した原料修飾ヒアルロン酸の濃度の溶液にしてナイロンに充填し、厚さ２ｍｍの膜状に成型した状態で電子線を照射し、カルボキシメチル基含有修飾ヒアルロン酸の架橋物（第１架橋物）を含む組成物（第１組成物）をそれぞれ得た。また、対照として、カルボキシメチル基を含有しない、ヒアルロン酸（キユーピー株式会社製）に対して同様の電子線照射処理を行った（比較例１：分子量１８０万）。
【０１９７】
なお、表１に示される収率は、以下の方法により測定された値である。すなわち、表１に示す各条件で得られた前記組成物をそれぞれ、濃度が１質量％になるように純水中に分散させてゲルを調製し、該ゲルを１℃にて２４時間静置した後、１質量％水酸化ナトリウム水溶液でｐＨ６に中和した。次いで、残留物（ゲル）をろ紙上に吸引濾過により回収した後、蒸留水で洗浄し、秤量済みのシャーレに広げて減圧乾燥し、その後、シャーレの質量を測定して、シャーレの質量の変化分から残留物（架橋物）の質量を算出した。収率を以下の式（３）により算出した。
収率（％）＝残留物の質量／組成物の質量（固形分）×１００  ・・・（３）
【０１９８】
＜試験例１：熱安定性試験＞
表１に示す各条件で得られた架橋物をそれぞれ、濃度が１質量％（固形分）になるように生理食塩水中に分散させて混合物を調製し、該混合物を５０℃にて７日間静置した。この保存物を４２０メッシュのナイロンストレイナーで吸引ろ過により回収した後、蒸留水で洗浄し、次いで、秤量済みのシャーレ上に広げて減圧乾燥した。その後、シャーレの質量を測定して、シャーレの質量の変化分から残留物の質量を算出した。前記架橋物の質量および残留物の質量から、熱安定性試験における残存率を以下の式（４）により算出した。なお、表１において、５０℃で７日間経過する前に混合物が消失した場合は、混合物が消失するまでの日数を示す。
熱安定性試験における残存率（％）=残留物の質量／架橋物の質量（固形分）×１００  ・・・（４）
【０１９９】
＜試験例２：耐酵素分解性試験＞
表１に示す各条件で得られたカルボキシメチル基含有修飾ヒアルロン酸の架橋物をそれぞれ１０ｍｇを、５０ｍＭリン酸緩衝液に分散させて９ｍＬの混合物を調製し、ヒアルロニダーゼ（シグマ社、ｂｏｖｉｎｅ  ｔｅｓｔｅｓ由来）５０単位（１ｍＬ）を添加して、濃度が０．１質量％（固形分）、５単位／架橋物１ｍｇのヒアルロニダーゼを含む１０ｍＬの混合物とした後、該混合物を４０℃にて２４時間静置した。次いで、この保存物を４２０メッシュのナイロンストレイナーで吸引ろ過により回収した後、蒸留水で洗浄し、次いで、秤量済みのシャーレ上に広げて減圧乾燥した。その後、シャーレの質量を測定して、シャーレの質量の変化分から残留物の質量を算出した。耐酵素分解性試験における残存率を以下の式（５）により算出した。
耐酵素分解性試験における残存率（％）=残留物の質量／架橋物の質量（固形分）×１００  ・・・（５）
【０２００】
【表１】
2015053282.tif 000004
【０２０１】
表１によれば、カルボキシメチル基含有修飾ヒアルロン酸および／またはその塩の溶液に電子線を照射して得られた、カルボキシメチル基含有修飾ヒアルロン酸および／またはその塩の架橋物（第１架橋物）は、水膨潤性を有すること、ならびに、水に対する膨潤度が１０倍以上１，０００倍以下（質量比）であることが理解できる。
【０２０２】
また、表１によれば、第１架橋物と、水と、を含み、該第１架橋物の含有量が固形分換算で０．１質量％以上１０質量％以下である、水膨潤性ゲルは、耐酵素分解性および熱安定性を有することが理解できる。
【０２０３】
＜実施例６：第２架橋物の調製＞
実施例４で得られたカルボキシメチル基含有修飾ヒアルロン酸に対して、電子線照射装置（型名ＥＰＳ−８００、(株)ＮＨＶコーポレーション）を用いて、表２に示す各条件にて電子線照射を行った。
【０２０４】
次に、得られた電子線照射した溶液（第１組成物を含む溶液）をそのまま1ｍｏｌ／Ｌの塩酸にカルボキシメチル基含有修飾ヒアルロン酸の濃度が表２に示す濃度になるように希釈し、４℃で２０時間保存し膨潤溶解させて溶液を調製した。この溶液を、表１に示す各添加物を用いて各ｐＨに調整した後、−１８℃で１６時間保持して、カルボキシメチル基含有修飾ヒアルロン酸の架橋物（第２架橋物）を含む第２組成物を得た（保持工程）。次いで、この溶液を２５℃の流水中に１０分間保持して（洗浄工程）、前記第２架橋物（実験番号１１）を得た。収率は、実施例５と同様の方法により算出した。
【０２０５】
また、表２に示す条件に変更した他は、上記の方法にて、第２架橋物（実験番号１２および１３）を得た。なお、得られた第２組成物について、実施例５と同様の方法にて収率を算出し、かつ、得られた第２架橋物について、上記試験例１および試験例２に記載された方法と同様の方法にて、熱安定性試験および耐酵素分解性試験を行った結果を表２にあわせて示す。なお、表２において、５０℃で７日間経過する前に、第２架橋物を含む混合物が消失した場合は、該混合物が消失するまでの日数を示す。
【０２０６】
【表２】
2015053282.tif 000005
【０２０７】
＜実施例７：第３架橋物の調製＞
実施例１で得られたカルボキシメチル基含有修飾ヒアルロン酸に対して、電子線照射装置（型名ＥＰＳ−８００、(株)ＮＨＶコーポレーション）を用いて、表３に示す各条件にて電子線照射を行った。
【０２０８】
次に、得られた電子線照射により得られた、第１組成物を含む溶液に、実施例１で得られたカルボキシメチル基含有修飾ヒアルロン酸を表３に示す割合で添加した後、該溶液を表３に示す各ｐＨに調整し、次いで４℃で２０時間保存し膨潤溶解させた後、−１８℃で表３に示す各時間保持して、カルボキシメチル基含有修飾ヒアルロン酸の架橋物（第３架橋物）を含む第３組成物を得た（保持工程）。次いで、この溶液を２５℃の流水中に１０分間保持して（洗浄工程）、第３架橋物（実験番号２１ないし３２）を得た。収率は、実施例５と同様の方法により算出した。また、得られた第３架橋物について、上記試験例１および試験例２に記載された方法と同様の方法にて、熱安定性試験および耐酵素分解性試験を行った結果を表３にあわせて示す。
【０２０９】
【表３】
2015053282.tif 000006
【０２１０】
表２および表３によれば、修飾ヒアルロン酸および／またはその塩の溶液に電子線を照射して得られた第１架橋物を−２００℃以上１０℃以下に保持して得られた第２架橋物（実験番号１１ないし１３）、ならびに、該第１架橋物を含む第１組成物と修飾ヒアルロン酸および／またはその塩とを含む溶液を−２００℃以上１０℃以下に保持して得られた第３架橋物（実験番号２１ないし３２）は水膨潤性を有すること、ならびに、水に対する膨潤度が１０倍以上１，０００倍以下（質量比）であることが理解できる。
【０２１１】
また、表２および表３によれば、第２架橋物および／または第３架橋物と、水と、を含み、該第２架橋物および／または第３架橋物の含有量が固形分換算で０．１質量％以上１０質量％以下である、水膨潤性ゲルは、耐酵素分解性および高い熱安定性を有することが理解できる。
【０２１２】
一方、市販されている架橋ヒアルロン酸Ｓｙｎｖｉｓｃ（Ｇｅｎｚｙｍｅ社）およびＲｅｓｔｙｌａｎｅ（Ｑ−Ｍｅｄ社）について、耐酵素分解性試験を行った。より具体的には、Ｓｙｎｖｉｓｃはゲル１．２５ｇ（ヒアルロン酸１０ｍｇ含有）、Ｒｅｓｔｙｌａｎｅはゲル０．５ｇ（ヒアルロン酸１０ｍｇ含有）を５０ｍＭリン酸緩衝液に分散させ９ｍＬとなるように調製し、５０ｍＭリン酸緩衝液に溶解させたヒアルロニダーゼ５０単位（１ｍＬ）を添加して混合物１０ｍＬを調製し、該混合物の耐酵素分解性を上記試験例２の方法と同様の方法で測定したところ、残存率はいずれも０％であり、耐酵素分解性に劣ることが確認された。
【０２１３】
＜配合例１：化粧水＞
本配合例では、以下に記す処方にて、前記実験番号１で得られた第１架橋物を配合した化粧水を調製した。
第１架橋物      ０．２％
ヒアルロン酸ナトリウム                                  ０．１％
加水分解ヒアルロン酸                                    ０．１％
加水分解ヒアルロン酸アルキル（Ｃ１２−１３）グリセリル  ０．１％
コラーゲンペプチド                                      ０．１％
１，３−ブチレングリコール                              ５．０％
グリセリン                                              ３．０％
イソステアリルアルコール                                ０．１％
酢酸トコフェロール                                      ０．１％
ＰＯＥ（２０）ソルビタンモノラウリル酸エステル          ０．５％
ＰＯＥ（１５）ラウリルアルコールエーテル                ０．５％
ピロリドンカルボン酸亜鉛                                ０．１％
エチルパラベン                                          ０．１％
メチルパラベン                                        ０．１５％
エタノール                                              ５．０％
香料                                                        適量
精製水                                                      残量
【０２１４】
＜配合例２：乳液＞
本配合例では、以下に記す処方にて、前記実験番号１で得られた第１架橋物を配合した乳液を調製した。
第１架橋物      ０．３％
ペンチレングリコール                                    ５．０％
グリセリン                                              ３．０％
スクワラン                                              ５．０％
ステアリン酸                                            ０．５％
ステアリルアルコール                                    ２．０％
ワセリン                                                ４．０％
ステアリン酸ソルビタン                                  １．０％
ＰＯＥ（１０）モノステアリン酸エステル                  １．０％
カルボキシビニルポリマー                                ０．５％
ポリクオタニウム−５１                                  ０．１％
メチルパラベン                                        ０．１５％
プロピルパラベン                                        ０．１％
水酸化カリウム                                          ０．１％
ＢＨＴ                                                ０．０２％
ＥＤＴＡ−２ナトリウム                                ０．０２％
香料                                                        適量
精製水                                                      残量
【０２１５】
＜配合例３：クリーム＞
本配合例では、以下に記す処方にて、前記実験番号１２で得られた第１架橋物を配合したクリーム（エモリエントクリーム）を調製した。
第１架橋物      ０．５％
ポリエチレングリコール                                  ４．０％
１，３−プロパンジオール                                ６．０％
スクワラン                                            １１．０％
ジメチコン                                              １．０％
セタノール                                              ６．０％
ステアリン酸                                            ２．０％
水添ココグリセリル                                      ４．０％
トリカプリリン                                          ８．０％
モノステアリン酸グリセリン                              ３．０％
ＰＯＥ（２０）セチルアルコールエーテル                  ２．０％
コエンザイムＱ１０                                    ０．０３％
セラミド                                                ０．１％
ジラウロイルグルタミン酸リシンナトリウム                ０．１％
ＥＤＴＡ−２ナトリウム                                ０．０２％
プロピルパラベン                                        ０．１％
メチルパラベン                                        ０．１５％
香料                                                        適量
精製水                                                      残量
【０２１６】
＜配合例４：美容液＞
本配合例では、以下に記す処方にて、前記実験番号１２で得られた第２架橋物を配合した美容液（美白保湿エッセンス）を調製した。
第２架橋物      ０．８％
ヒアルロン酸ナトリウム                                  ０．２％
加水分解ヒアルロン酸                                    ０．１％
１，３−ブチレングリコール                              ５．０％
グリセリン                                              １．５％
ＰＯＥソルビタンモノステアリン酸エステル                １．０％
ソルビタンモノステアリン酸エステル                      ０．５％
キサンタンガム                                          ０．２％
アルギン酸ナトリウム                                    ０．２％
カルボキシビニルポリマー                                ０．２％
水酸化カリウム                                          ０．１％
オリーブ油                                              ０．２％
トコフェロール                                          ０．１％
ＥＤＴＡ−２ナトリウム                                ０．０２％
アルギニン                                            ０．１５％
グリチルリチン酸ジカリウム                            ０．０５％
アルブチン                                              ０．２％
パルミチン酸レチノール                                  ０．２％
クジンエキス                                            ０．２％
海藻エキス                                              ０．２％
トラネキサム酸                                          ０．１％
エラスチン                                              ０．１％
コラーゲン                                              ０．１％
リン酸アスコルビン酸マグネシウム                        ０．１％
クエン酸ナトリウム                                      １．０％
クエン酸                                                ０．１％
プロピルパラベン                                        ０．１％
メチルパラベン                                        ０．１５％
香料                                                        適量
精製水                                                      残量
【０２１７】
＜配合例５：美容液パック＞
本配合例では、以下に記す処方にて、前記実験番号１３で得られた第２架橋物を配合した美容液パック（ペースト状ピールオフタイプ）を調製した。
第２架橋物      ０．５％
ポリ酢酸ビニルエマルジョン                            １７．０％
ポリビニルアルコール                                  １１．０％
ソルビトール                                            ５．０％
ポリエチレングリコール４００                            ５．０％
スクワラン                                              ２．５％
ＰＯＥソルビタンモノステアリン酸エステル                １．０％
酸化チタン                                              ４．０％
タルク                                                  ８．０％
エタノール                                              ８．０％
メチルパラベン                                        ０．１５％
香料                                                        適量
精製水                                                      残量
【０２１８】
＜配合例６：洗顔料＞
本配合例では、以下に記す処方にて、前記実験番号１で得られた第１架橋物を配合した洗顔料（クレンジングフォーム）を調製した。
第１架橋物      ０．２％
カチオン化ヒアルロン酸                                  ０．１％
（キユーピー株式会社製、ヒアロベール）
グリセリン                                            １０．０％
ポリエチレングリコール４００                          １５．０％
ジプロピレングリコール                                １０．０％
ラウロイルグルタミン酸ナトリウム                      ２０．０％
ＰＯＥ（２）モノステアリン酸エステル                    ５．０％
パーム脂肪酸グルタミン酸ナトリウム                      ８．０％
アルキルベタイン                                        ２．０％
ＥＤＴＡ−２ナトリウム                                ０．０２％
プロピルパラベン                                        ０．１％
メチルパラベン                                        ０．１５％
香料                                                        適量
精製水                                                      残量
【０２１９】
＜配合例７：サンスクリーン＞
本配合例では、以下に記す処方にて、前記実験番号１で得られた第１架橋物を配合したサンスクリーン（乳液）を調製した。
第１架橋物      ０．２％
１，３−ブチレングリコール                              ３．０％
ジプロピレングリコール                                  ３．０％
シクロメチコン                                          ５．０％
ジメチコン                                              ５．０％
セタノール                                              １．０％
ワセリン                                                １．０％
メトキシケイヒ酸オクチル                                ５．０％
酸化チタン                                              ２．０％
酸化亜鉛                                                ２．０％
ステアリン酸ソルビタン                                  １．０％
ＰＯＥ（２０）ソルビタンモノステアリン酸エステル        １．０％
フェノキシエタノール                                    ０．８％
メチルパラベン                                          ０．１％
香料                                                        適量
精製水                                                      残量
【０２２０】
＜配合例８：リップクリーム＞
本配合例では、以下に記す処方にて、前記実験番号１で得られた第１架橋物を配合したリップクリームを調製した。
第１架橋物      ０．１％
マイクロクリスタリンワックス                            １．５％
セレシン                                              １２．０％
スクワラン                                            １０．０％
デカメチルテトラシロキサン                            １０．０％
リンゴ酸ジイソステアリル                                ５．０％
キャンデリラロウ                                        ２．０％
ワセリン                                                ８．０％
ヒドロキシステアリン酸グリセリル                        ２．０％
メントール                                            ０．０５％
流動パラフィン                                          １．０％
酢酸トコフェロール                                      ０．１％
トコフェロール                                        ０．０５％
プロピルパラベン                                        ０．１％
香料                                                        適量
精製水                                                      残量
【０２２１】
＜配合例９：シャンプー＞
本配合例では、以下に記す処方にて、前記実験番号１で得られた第１架橋物を配合したシャンプーを調製した。
第１架橋物      ０．２％
カチオン化ヒアルロン酸                                  ０．１％
（キユーピー株式会社製、ヒアロベール）
ＰＯＥ（２０）ラウリルエーテル硫酸ナトリウム          １１．０％
ラウロイルアスパラギン酸ナトリウム                    １０．０％
ヤシ油脂肪酸アミドプロピルベタイン                      ４．０％
ヤシ油脂肪酸モノエタノールアミド                        ２．０％
ＥＤＴＡ−２ナトリウム                                  ０．１％
安息香酸ナトリウム                                      ０．２％
フェノキシエタノール                                    ０．８％
メチルパラベン                                          ０．１％
香料                                                        適量
精製水                                                      残量
【０２２２】
＜配合例１０：ヘアコンディショナー＞
本配合例では、以下に記す処方にて、前記実験番号１で得られた第１架橋物を配合したヘアコンディショナーを調製した。
第１架橋物      ０．３％
カチオン化ヒアルロン酸                                  ０．２％
（キユーピー株式会社製、ヒアロベール）
ステアリルアルコール                                    ４．０％
セタノール                                              １．５％
ヒドロキシエチルウレア                                  １．０％
アミノプロピルジメチコン                                １．５％
ジメチコン                                              ０．５％
加水分解シルク                                          １．０％
１，３−ブチレングリコール                              １．０％
グリセリン                                              ３．０％
２−エチルヘキサン酸セチル                              ２．０％
ミリスチン酸イソセチル                                  ０．４％
Ｌ−アルギニン                                          ０．１％
トレハロース                                            ０．１％
ソルビトール                                            ０．１％
ケラチンペプチド                                        ０．１％
ＰＯＥ（４）ステアリルエーテル                          １．０％
ステアリン酸ジメチルアミノプロピルアミド                ３．０％
塩化ジステアリルジメチルアンモニウム                    ０．２％
安息香酸ナトリウム                                      ０．３％
フェノキシエタノール                                    ０．８％
メチルパラベン                                          ０．１％
香料                                                        適量
精製水                                                      残量
【０２２３】
＜配合例１１：ソフトカプセル＞
本配合例では、以下に記す処方にて、前記実験番号１で得られた第１架橋物を配合したソフトカプセルを調製した。
第１架橋物        ２０％
オリーブ油                                                ３５％
ミツロウ                                                    ５％
中鎖脂肪酸トリグリセリド                                    ５％
ゼラチン                                                  ２５％
グリセリン                                                １０％
【０２２４】
＜配合例１２：散剤＞
本配合例では、以下に記す処方にて、前記実験番号１で得られた第１架橋物を配合した散剤（顆粒剤）を調製した。
第１架橋物        １０％
乳糖                                                      ６０％
トウモロコシデンプン                                      ２５％
ヒプロメロース                                              ５％
【０２２５】
＜配合例１３：ソフトカプセル＞
本配合例では、以下に記す処方にて、前記実験番号１で得られた第１架橋物を配合した錠剤を調製した。
第１架橋物        ２５％
乳糖                                                      ２４％
結晶セルロース                                            ２０％
トウモロコシデンプン                                      １５％
デキストリン                                              １５％
二酸化ケイ素                                                １％
【０２２６】
＜配合例１４：ゼリー飲料＞
本配合例では、以下に記す処方にて、前記実験番号１で得られた第１架橋物を配合したスパウトパウチ入り白桃ゼリー飲料を調製した。
第１架橋物    ０．２０％
キサンタンガム                                        １．００％
カラギーナン                                            ０．５％
デキストリンアルコール                                  ３．０％
スクラロース                                                １％
４倍濃縮白桃果汁                                      ５．００％
クエン酸                                              ０．６０％
クエン酸ナトリウム                                    ０．２０％
Ｌ−アスコルビン酸                                    ０．１０％
ピーチ香料                                            ０．２０％
精製水                                                      残量
【０２２７】
＜実施例８：癒着防止剤＞
前記実験番号２で得られた第１架橋物を厚さ１ｍｍのフィルム状に圧延して成型し、滅菌処理後、シート状の癒着防止剤を得た。
【０２２８】
＜実施例９：癒着防止剤＞
前記実験番号１２で得られた第２架橋物を厚さ１ｍｍのフィルム状に圧延して成型し、滅菌処理後、シート状の癒着防止剤を得た。
【０２２９】
＜実施例１０：皮下注射剤＞
前記実験番号２で得られた第１架橋物（固形分換算１％）の乾燥物を、０．９％ＮａＣｌを含む注射用水で膨潤させ、１ｍＬの注射器に無菌充填し、滅菌処理後、皮下注射剤を得た。
【０２３０】
＜実施例１１：皮下注射剤＞
前記実験番号１３で得られた第２架橋物（固形分換算１％）の乾燥物を、０．９％ＮａＣｌを含む注射用水で膨潤させ、１ｍＬの注射器に無菌充填し、滅菌処理後、皮下注射剤を得た。
【０２３１】
＜実施例１２：薬物徐放剤＞
前記実験番号２で得られた第１架橋物（固形物換算２％）の乾燥物を、０．９％ＮａＣｌ、０．００１％プロスタグランジンＥ１を含む注射用水で膨潤させ、滅菌処理後、３ｍＬの注射器に無菌充填し、薬物徐放剤を得た。
【０２３２】
＜実施例１３：薬物徐放剤＞
前記実験番号１１で得られた第２架橋物（固形物換算２％）の乾燥物を、０．９％ＮａＣｌ、０．００１％プロスタグランジンＥ１を含む注射用水で膨潤させ、滅菌処理後、３ｍＬの注射器に無菌充填し、薬物徐放剤を得た。
【０２３３】
＜実施例１４：膝関節注射剤＞
前記実験番号２で得られた第１架橋物（固形物換算０．８％）の乾燥物を、０．９％ＮａＣｌを含む注射用水で膨潤させ、滅菌処理後、２ｍＬの注射器に無菌充填し、膝関節注射剤を得た。
【０２３４】
＜実施例１５：膝関節注射剤＞
前記実験番号１２で得られた第２架橋物（固形物換算０．８％）の乾燥物を、０．９％ＮａＣｌを含む注射用水で膨潤させ、滅菌処理後、２ｍＬの注射器に無菌充填し、膝関節注射剤を得た。
【０２３５】
＜実施例１６：癒着防止剤＞
前記実験番号２６で得られた第３架橋物を厚さ１ｍｍのフィルム状に圧延して成型し、滅菌処理後、シート状の癒着防止剤を得た。
【０２３６】
＜実施例１７：皮下注射剤＞
前記実験番号２６で得られた第３架橋物（固形分換算１％）の乾燥物を、０．９％ＮａＣｌを含む注射用水で膨潤させ、１ｍＬの注射器に無菌充填し、滅菌処理後、皮下注射剤を得た。
【０２３７】
＜実施例１８：薬物徐放剤＞
前記実験番号２８で得られた第３架橋物（固形物換算２％）の乾燥物を、０．９％ＮａＣｌ、０．００１％プロスタグランジンＥ１を含む注射用水で膨潤させ、滅菌処理後、３ｍＬの注射器に無菌充填し、薬物徐放剤を得た。
【０２３８】
＜実施例１９：膝関節注射剤＞
前記実験番号２８で得られた第３架橋物（固形物換算０．８％）の乾燥物を、０．９％ＮａＣｌを含む注射用水で膨潤させ、滅菌処理後、２ｍＬの注射器に無菌充填し、膝関節注射剤を得た。
【手続補正書】
【提出日】平成28年2月4日(2016.2.4)
【手続補正１】
【補正対象書類名】明細書
【補正対象項目名】００８３
【補正方法】変更
【補正の内容】
【００８３】
【化２】
2015053282.tif 000007
（式中、Ｒ１〜Ｒ５は独立して、水素原子、−ＣＨ２−ＣＯ２Ｈ、または−ＣＨ２−ＣＯ２−で表される基を表し（ただし、Ｒ１〜Ｒ５がいずれも水素原子を表す場合を除く。）ｎは１以上７，５００以下の数を示す。）
【国際調査報告】
2015053282.tif 000008
2015053282.tif 000009
2015053282.tif 000010
2015053282.tif 000011